(57)【要約】【課題】温泉をリアルに体験することができる温泉システム及び温泉提供方法を提供する。【解決手段】  温泉システム１は、温泉成分を含む湯を浴槽１１に提供する温泉システムであって、第１記憶部２６と制御部２５とを備える。第１記憶部２６は、第１温泉情報２６ａを記憶する。第１温泉情報２６ａは、配合割合の情報と湯温の情報とを対応付けた情報を含む。配合割合は、温泉成分を配合する割合である。湯温は、湯の温度である。制御部２５は、第１温泉情報２６ａに基づいて、配合割合と湯温とを決定する。【選択図】図１
2007229295.tif 000002
【特許請求の範囲】
【請求項１】
温泉成分を含む湯を浴槽（１１）に提供する温泉システム（１，１００）であって、
前記温泉成分を配合する割合である配合割合の情報と前記湯の温度である湯温の情報とを対応付けた情報を含む第１温泉情報を記憶する第１記憶部（２６，１５６）と、
前記第１温泉情報に基づいて、前記配合割合と前記湯温とを決定する制御部（２５，１５５）と、
を備えた、
温泉システム（１，１００）。
【請求項２】
前記配合割合の情報に基づいて、前記温泉成分を前記湯に配合する配合部（３０，９５，９６，１３０）と、
前記湯温の情報に基づいて、前記湯を加熱する加熱部（４１）と、
をさらに備えた、
請求項１に記載の温泉システム（１，１００）。
【請求項３】
前記配合部（３０，９５，９６，１３０）は、前記温泉成分を含む貯蔵ユニット（３３，３４，３５，１３３，１３４，１３５）を有する、
請求項２に記載の温泉システム（１，１００）。
【請求項４】
温泉を識別するための情報である温泉識別情報が入力される第１入力部（１２ａ）、
をさらに備え、
前記第１温泉情報は、前記配合割合の情報と前記湯温の情報と前記温泉識別情報とを対応付けた情報を含み、
前記制御部（２５，１５５）は、前記第１温泉情報と前記第１入力部（１２ａ）に入力された前記温泉識別情報とに基づいて、前記配合割合と前記湯温とを決定する、
請求項２に記載の温泉システム（１，１００）。
【請求項５】
温泉の効能の情報が入力される第２入力部（１２ｂ）、
をさらに備え、
前記第１温泉情報は、前記配合割合の情報と前記湯温の情報と前記温泉の効能の情報とを対応付けた情報を含み、
前記制御部（２５，１５５）は、前記第１温泉情報と前記第２入力部（１２ｂ）に入力された前記温泉の効能の情報とに基づいて、前記配合割合と前記湯温とを決定する、
請求項２に記載の温泉システム（１，１００）。
【請求項６】
温泉を識別するための情報である温泉識別情報が入力される第１入力部（１２ａ）と、
前記温泉の景色に関する情報と前記温泉識別情報とを対応付けた情報を含む第２温泉情報を記憶する第２記憶部（２７，１５７）と、
前記第２温泉情報と前記第１入力部（１２ａ）に入力された前記温泉識別情報とに基づいて、前記温泉の景色を表示する表示部（１３ａ）と、
をさらに備えた、
請求項２に記載の温泉システム（１，１００）。
【請求項７】
温泉を識別するための情報である温泉識別情報が入力される第１入力部（１２ａ）と、
前記第１入力部（１２ａ）に入力された前記温泉識別情報に対応する前記第１温泉情報を表示する前記表示部（１３ａ）と、
をさらに備え、
前記第１温泉情報は、前記配合割合の情報と前記湯温の情報と前記温泉識別情報とを対応付けた情報を含む、
請求項２に記載の温泉システム（１，１００）。
【請求項８】
前記第１入力部（１２ａ）は、前記表示部（１３ａ）に前記第１温泉情報が表示された後に、前記温泉識別情報がさらに入力される、
請求項７に記載の温泉システム（１，１００）。
【請求項９】
前記第１温泉情報は、前記配合割合の情報と前記湯温の情報とを対応付けた情報に、前記温泉の効能の情報、前記温泉にまつわる話の情報、前記温泉のお土産又は特産品の情報、前記温泉の付近の観光情報並びに前記温泉の付近の施設の割引情報又は優待情報の少なくとも１つをさらに対応付けた情報を含む、
請求項７又は８に記載の温泉システム（１，１００）。
【請求項１０】
前記第２記憶部（２７，１５７）は、前記第２温泉情報に含まれる前記温泉識別情報により識別される温泉以外の景色に関する情報である景色情報と前記景色情報により表される景色を識別するための情報である景色識別情報とを対応付けた情報を含む第１対応付け情報を記憶し、
前記第１入力部（１２ａ）は、前記景色識別情報が入力され、
前記表示部（１３ａ）は、前記第１対応付け情報と前記第１入力部（１２ａ）に入力された前記景色識別情報とに基づいて、前記第１入力部（１２ａ）に入力された前記景色識別情報により識別される景色を表示する、
請求項６に記載の温泉システム（１，１００）。
【請求項１１】
温泉を識別するための情報である温泉識別情報が入力される第１入力部（１２ａ）と、
前記温泉の音声に関する情報と前記温泉識別情報とを対応付けた情報を含む第３温泉情報を記憶する第３記憶部（２８，１５８）と、
前記第３温泉情報と前記第１入力部（１２ａ）に入力された前記温泉識別情報とに基づいて、前記温泉の音声を出力する音声出力部（１４ａ）と、
をさらに備えた、
請求項２に記載の温泉システム（１，１００）。
【請求項１２】
前記配合部（３０，９５，９６，１３０）は、前記加熱部（４１）と前記浴槽（１１）との間に設けられている、
請求項２に記載の温泉システム（１，１００）。
【請求項１３】
前記浴槽（１１）が置かれた浴室（１０）を除湿する除湿器（１５）と、
前記浴室（１０）を露天風呂のように演出する運転モードである露天風呂モードを選択するための情報が入力される第１入力部（１２ａ）と、
をさらに備え、
前記除湿器（１５）は、前記露天風呂モードを選択するための情報が前記第１入力部（１２ａ）に入力されたことに基づいて、前記浴室（１０）を除湿する、
請求項２に記載の温泉システム（１，１００）。
【請求項１４】
前記浴槽（１１）が置かれた浴室（１０）を加湿する加湿器（１６）と、
前記浴室（１０）を屋内風呂のように演出する運転モードである屋内風呂モード、前記浴室（１０）を釜風呂のように演出する運転モードである釜風呂モード及び前記浴室（１０）をスチームサウナ風呂のように演出する運転モードであるスチームサウナ風呂モードのいずれかを選択するための情報が入力される第１入力部（１２ａ）と、
をさらに備え、
前記加湿器（１６）は、前記屋内風呂モード、前記釜風呂モード及び前記スチームサウナ風呂モードのいずれかを選択するための情報が前記第１入力部（１２ａ）に入力されたことに基づいて、前記浴室（１０）を加湿する、
請求項２に記載の温泉システム（１，１００）。
【請求項１５】
前記浴槽（１１）が置かれた浴室（１０）を換気する換気装置（１７）と、
前記浴室（１０）を露天風呂のように演出する運転モードである露天風呂モード、前記浴室（１０）を屋内風呂のように演出する運転モードである屋内風呂モード、前記浴室（１０）を釜風呂のように演出する運転モードである釜風呂モード及び前記浴室（１０）をスチームサウナ風呂のように演出する運転モードであるスチームサウナ風呂モードのいずれかを選択するための情報が入力される第１入力部（１２ａ）と、
をさらに備え、
前記換気装置（１７）は、前記露天風呂モードを選択するための情報が前記第１入力部（１２ａ）に入力されたことに基づいて、前記浴室（１０）を換気し、前記屋内風呂モード、前記釜風呂モード及び前記スチームサウナ風呂モードのいずれかを選択するための情報が前記第１入力部（１２ａ）に入力されたことに基づいて、前記浴室（１０）の換気を停止する、あるいは前記浴室（１０）の換気量を低減する、
請求項２に記載の温泉システム（１，１００）。
【請求項１６】
前記浴槽（１１）が置かれた浴室（１０）を照らす照明装置（１８）と、
前記浴室（１０）を露天風呂のように演出する運転モードである露天風呂モードを選択するための情報が入力される第１入力部（１２ａ）と、
をさらに備え、
前記照明装置（１８）は、前記露天風呂モードを選択するための情報が前記第１入力部（１２ａ）に入力されたことに基づいて、前記浴槽（１１）の前記湯の表面をスポット的に照らす、
請求項２に記載の温泉システム（１，１００）。
【請求項１７】
前記第１記憶部（１５６）及び前記制御部（１５５）は、前記浴槽（１１）の遠隔に存在する、
請求項１から１６のいずれか１項に記載の温泉システム（１００）。
【請求項１８】
前記浴槽（１１）の近傍に存在する第１送受信部（１２１）と、
前記浴槽（１１）の遠隔であって前記第１記憶部（１５６）及び前記制御部（１５５）の近傍に存在し、第１ネットワーク（１０１）経由で前記第１送受信部（１２１）と通信する第２送受信部（１５１）と、
をさらに備え、
前記第１入力部（１２ａ）は、前記浴槽（１１）の近傍に存在し、
前記第１送受信部（１２１）は、前記第１入力部（１２ａ）に入力された前記温泉識別情報を前記第１ネットワーク（１０１）経由で前記第２送受信部（１５１）へ送信し、
前記第２送受信部（１５１）は、前記制御部（１５５）により決定された前記配合割合の情報と前記湯温の情報とを前記第１ネットワーク（１０１）経由で前記第１送受信部（１２１）へ送信する、
請求項４に記載の温泉システム（１００）。
【請求項１９】
前記浴槽（１１）の近傍に存在する第１送受信部（１２１）と、
前記浴槽（１１）の遠隔であって前記第１記憶部（１５６）、前記第２記憶部（１５７）及び前記制御部（１５５）の近傍に存在し、第１ネットワーク（１０１）経由で前記第１送受信部（１２１）と通信する第２送受信部（１５１）と、
をさらに備え、
前記第１入力部（１２ａ）及び前記表示部（１３ａ）は、前記浴槽（１１）の近傍に存在し、
前記第１送受信部（１２１）は、前記第１入力部（１２ａ）に入力された前記温泉識別情報を前記第１ネットワーク（１０１）経由で前記第２送受信部（１５１）へ送信し、
前記制御部（１５５）は、前記第２温泉情報と前記第１入力部（１２ａ）に入力された前記温泉識別情報とに基づいて、前記温泉の景色に関する情報を決定し、
前記第２送受信部（１５１）は、前記制御部（１５５）により決定された前記温泉の景色に関する情報を前記第１ネットワーク（１０１）経由で前記第１送受信部（１２１）へ送信し、
前記表示部（１３ａ）は、前記温泉の景色に関する情報に基づいて、前記温泉の景色を表示する、
請求項６に記載の温泉システム（１００）。
【請求項２０】
前記浴槽（１１）の近傍に存在する第１送受信部（１２１）と、
前記浴槽（１１）の遠隔であって前記第１記憶部（１５６）、前記第３記憶部（１５８）及び前記制御部（１５５）の近傍に存在し、第１ネットワーク（１０１）経由で前記第１送受信部（１２１）と通信する第２送受信部（１５１）と、
をさらに備え、
前記第１入力部（１２ａ）及び前記音声出力部（１４ａ）は、前記浴槽（１１）の近傍に存在し、
前記第１送受信部（１２１）は、前記第１入力部（１２ａ）に入力された前記温泉識別情報を前記第１ネットワーク（１０１）経由で前記第２送受信部（１５１）へ送信し、
前記制御部（１５５）は、前記第３温泉情報と前記第１入力部（１２ａ）に入力された前記温泉識別情報とに基づいて、前記温泉の音声に関する情報を決定し、
前記第２送受信部（１５１）は、前記制御部（１５５）により決定された前記温泉の音声に関する情報を前記第１ネットワーク（１０１）経由で前記第１送受信部（１２１）へ送信し、
前記音声出力部（１４ａ）は、前記温泉の音声に関する情報に基づいて、前記温泉の音声を出力する、
請求項１１に記載の温泉システム（１００）。
【請求項２１】
前記浴室（１０）の構成に関する情報である浴室構成情報を記憶する第５記憶部（１２９）、
をさらに備え、
前記第５記憶部（１２９）は、前記浴槽（１１）の近傍に存在し、
前記第１送受信部（１２１）は、前記浴室構成情報を前記第１ネットワーク（１０１）経由で前記第２送受信部（１５１）へ送信し、
前記制御部（１５５）は、前記浴室構成情報に基づいて、前記浴室（１０）に提供することが可能な温泉の環境を識別するための情報である可能温泉識別情報を生成し、
前記第２送受信部（１５１）は、前記制御部（１５５）により生成された前記可能温泉識別情報を前記第１ネットワーク（１０１）経由で前記第１送受信部（１２１）へ送信する、
請求項１８又は２０に記載の温泉システム（１００）。
【請求項２２】
前記浴槽（１１）の近傍に存在し、前記可能温泉識別情報を表示する表示部（１３ａ）、
をさらに備え、
前記第１入力部（１２ａ）は、前記表示部（１３ａ）に前記可能温泉識別情報が表示された後に、前記温泉識別情報が入力される、
請求項２１に記載の温泉システム（１００）。
【請求項２３】
前記浴室（１０）の構成に関する情報である浴室構成情報を記憶する第５記憶部（１２９）、
をさらに備え、
前記第５記憶部（１２９）は、前記浴槽（１１）の近傍に存在し、
前記第１送受信部（１２１）は、前記浴室構成情報を前記第１ネットワーク（１０１）経由で前記第２送受信部（１５１）へ送信し、
前記制御部（１５５）は、前記浴室構成情報に基づいて、前記浴室（１０）に提供することが可能な温泉の環境を識別するための情報である可能温泉識別情報を生成し、
前記第２送受信部（１５１）は、前記制御部（１５５）により生成された前記可能温泉識別情報を前記第１ネットワーク（１０１）経由で前記第１送受信部（１２１）へ送信する、
請求項１９に記載の温泉システム（１００）。
【請求項２４】
前記表示部（１３ａ）は、前記可能温泉識別情報を表示し、
前記第１入力部（１２ａ）は、前記表示部（１３ａ）に前記可能温泉識別情報が表示された後に、前記温泉識別情報が入力される、
請求項２３に記載の温泉システム（１００）。
【請求項２５】
前記配合部（９５，９６，１３０）は、
前記温泉成分を含む貯蔵ユニット（１３３，１３４，１３５）と、
前記貯蔵ユニット（１３３，１３４，１３５）に含まれる前記温泉成分の残量に関する情報である残量情報を記憶する第４記憶部（１３３ｂ，１３４ｂ，１３５ｂ）と、
を有し、
前記配合部（９５，９６，１３０）は、前記浴槽（１１）の近傍に存在し、
前記第１送受信部（１２１）は、前記残量情報を前記第１ネットワーク（１０１）経由で前記第２送受信部（１５１）へ送信し、
前記制御部（１５５）は、前記残量情報に基づいて、前記貯蔵ユニット（１３３，１３４，１３５）が交換時期に達したか否かを判断する、
請求項２２又は２４に記載の温泉システム（１００）。
【請求項２６】
前記制御部（１５５）は、交換時期に達していると判断された前記貯蔵ユニット（１３３，１３４，１３５）についての購入案内に関する情報である貯蔵ユニット購入案内情報を生成し、
前記第２送受信部（１５１）は、前記貯蔵ユニット購入案内情報を前記第１ネットワーク（１０１）経由で前記第１送受信部（１２１）へ送信する、
請求項２５に記載の温泉システム（１００）。
【請求項２７】
前記表示部（１３ａ）は、前記貯蔵ユニット購入案内情報を表示し、
前記第１入力部（１２ａ）は、前記表示部（１３ａ）に前記貯蔵ユニット購入案内情報が表示された後に、貯蔵ユニット（１３３，１３４，１３５）の少なくとも１つの購入の要望を示す情報である貯蔵ユニット購入要望情報が入力される、
請求項２６に記載の温泉システム（１００）。
【請求項２８】
前記浴槽（１１）の遠隔に存在し、前記貯蔵ユニット（１３３，１３４，１３５）を提供する第１提供者に通知する第１通知装置（１６０）と、
前記第１記憶部（１５６）、前記制御部（１５５）及び前記第２送受信部（１５１）の近傍に存在し、第３ネットワーク（１０３）経由で前記第１通知装置（１６０）と通信する第６送受信部（１５２）と、
をさらに備え、
前記浴室構成情報は、前記浴室（１０）を識別するための情報である浴室識別情報を含み、
前記制御部（１５５）は、前記貯蔵ユニット購入要望情報と前記浴室識別情報とに基づいて第１購入ポイントを前記浴室（１０）毎に加算し、前記第１購入ポイントと前記浴室識別情報とを対応付けた情報である第２対応付け情報を生成し、
前記第６送受信部（１５２）は、前記第２対応付け情報を前記第３ネットワーク（１０３）経由で前記第１通知装置（１６０）へ送信する、
請求項２７に記載の温泉システム（１００）。
【請求項２９】
前記浴槽（１１）の遠隔に存在し、前記貯蔵ユニット（１３３，１３４，１３５）を提供する第１提供者に通知する第１通知装置（１６０）と、
前記第１記憶部（１５６）、前記制御部（１５５）及び前記第２送受信部（１５１）の近傍に存在し、第３ネットワーク（１０３）経由で前記第１通知装置（１６０）と通信する第６送受信部（１５２）と、
をさらに備え、
前記浴室構成情報は、前記浴室（１０）を識別するための情報である浴室識別情報を含み、
前記制御部（１５５）は、前記貯蔵ユニット購入要望情報と前記浴室識別情報とに基づいて第１購入ポイントを前記浴室（１０）毎に加算し、前記第１購入ポイントに基づいて割引率又は割引金額を算出し、前記割引率又は前記割引金額と前記浴室識別情報とを対応付けた情報である第５対応付け情報を生成し、
前記第６送受信部（１５２）は、前記第５対応付け情報を前記第３ネットワーク（１０３）経由で前記第１通知装置（１６０）へ送信する、
請求項２７に記載の温泉システム（１００）。
【請求項３０】
前記制御部（１５５）は、前記第１入力部（１２ａ）に入力された前記温泉識別情報により識別される前記温泉のお土産又は特産品の購入案内に関する情報であるお土産等購入案内情報を生成し、
前記第２送受信部（１５１）は、前記お土産等購入案内情報を前記第１ネットワーク（１０１）経由で前記第１送受信部（１２１）へ送信する、
請求項２２又は２４に記載の温泉システム（１００）。
【請求項３１】
前記表示部（１３ａ）は、前記お土産等購入案内情報を表示し、
前記第１入力部（１２ａ）は、前記表示部（１３ａ）に前記お土産等購入案内情報が表示された後に、前記温泉のお土産又は特産品の購入の要望を示す情報であるお土産等購入要望情報が入力される、
請求項３０に記載の温泉システム（１００）。
【請求項３２】
前記浴槽（１１）の遠隔に存在し、前記温泉のお土産又は特産品を提供する第２提供者に通知する第２通知装置（１７０）と、
前記第１記憶部（１５６）、前記制御部（１５５）及び前記第２送受信部（１５１）の近傍に存在し、第５ネットワーク（１０５）経由で前記第２通知装置（１７０）と通信する第７送受信部（１５３）と、
をさらに備え、
前記浴室構成情報は、前記浴室（１０）を識別するための情報である浴室識別情報を含み、
前記制御部（１５５）は、前記お土産等購入要望情報と前記浴室識別情報とに基づいて第２購入ポイントを前記浴室（１０）毎に加算し、前記第２購入ポイントと前記浴室識別情報とを対応付けた情報である第３対応付け情報を生成し、
前記第７送受信部（１５３）は、前記第６対応付け情報を前記第５ネットワーク（１０５）経由で前記第２通知装置（１７０）へ送信する、
請求項３１に記載の温泉システム（１００）。
【請求項３３】
前記浴槽（１１）の遠隔に存在し、前記温泉のお土産又は特産品を提供する第２提供者に通知する第２通知装置（１７０）と、
前記第１記憶部（１５６）、前記制御部（１５５）及び前記第２送受信部（１５１）の近傍に存在し、第５ネットワーク（１０５）経由で前記第２通知装置（１７０）と通信する第７送受信部（１５３）と、
をさらに備え、
前記浴室構成情報は、前記浴室（１０）を識別するための情報である浴室識別情報を含み、
前記制御部（１５５）は、前記お土産等購入要望情報と前記浴室識別情報とに基づいて第２購入ポイントを前記浴室（１０）毎に加算し、前記第２購入ポイントに基づいて割引率又は割引金額を算出し、前記割引率又は割引金額と前記浴室識別情報とを対応付けた情報である第６対応付け情報を生成し、
前記第７送受信部（１５３）は、前記第６対応付け情報を前記第５ネットワーク（１０５）経由で前記第２通知装置（１７０）へ送信する、
請求項３１に記載の温泉システム（１００）。
【請求項３４】
前記制御部（１５５）は、前記第１入力部（１２ａ）に入力された前記温泉識別情報により識別される前記温泉の付近への旅行計画の案内に関する情報である旅行案内情報を生成し、
前記第２送受信部（１５１）は、前記旅行案内情報を前記第１ネットワーク（１０１）経由で前記第１送受信部（１２１）へ送信する、
請求項２２又は２４に記載の温泉システム（１００）。
【請求項３５】
前記表示部（１３ａ）は、前記旅行案内情報を表示し、
前記第１入力部（１２ａ）は、前記表示部（１３ａ）に前記旅行案内情報が表示された後に、前記旅行計画について契約する旨の要望を示す情報である契約要望情報が入力される、
請求項３４に記載の温泉システム（１００）。
【請求項３６】
前記浴槽（１１）の遠隔に存在し、前記旅行計画を提供する第３提供者に通知する第３通知装置（１８０）と、
前記第１記憶部（１５６）、前記制御部（１５５）及び前記第２送受信部（１５１）の近傍に存在し、第７ネットワーク（１０７）経由で前記第３通知装置（１８０）と通信する第８送受信部（１５４）と、
をさらに備え、
前記浴室構成情報は、前記浴室（１０）を識別するための情報である浴室識別情報を含み、
前記制御部（１５５）は、前記契約要望情報と前記浴室識別情報とに基づいて契約ポイントを前記浴室（１０）毎に加算し、前記契約ポイントと前記浴室識別情報とを対応付けた情報である第４対応付け情報を生成し、
前記第８送受信部（１５４）は、前記第４対応付け情報を前記第７ネットワーク（１０７）経由で前記第３通知装置（１８０）へ送信する、
請求項３５に記載の温泉システム（１００）。
【請求項３７】
前記浴槽（１１）の遠隔に存在し、前記旅行計画を提供する第３提供者に通知する第３通知装置（１８０）と、
前記第１記憶部（１５６）、前記制御部（１５５）及び前記第２送受信部（１５１）の近傍に存在し、第７ネットワーク（１０７）経由で前記第３通知装置（１８０）と通信する第８送受信部（１５４）と、
をさらに備え、
前記浴室構成情報は、前記浴室（１０）を識別するための情報である浴室識別情報を含み、
前記制御部（１５５）は、前記契約要望情報と前記浴室識別情報とに基づいて契約ポイントを前記浴室（１０）毎に加算し、前記契約ポイントに基づいて割引率又は割引金額を算出し、前記割引率又は割引金額と前記浴室識別情報とを対応付けた情報である第７対応付け情報を生成し、
前記第８送受信部（１５４）は、前記第７対応付け情報を前記第７ネットワーク（１０７）経由で前記第３通知装置（１８０）へ送信する、
請求項３５に記載の温泉システム（１００）。
【請求項３８】
前記貯蔵ユニット（１３３，１３４，１３５）、前記お土産若しくは前記特産品、又は前記旅行計画の割引券又は優待券を出力する割引券等出力装置（１９０）、
をさらに備え、
前記第１入力部（１２ａ）は、前記割引券又は前記優待券の提供を求めるための情報である割引等要望情報が入力され、
前記第１通知装置（１６０）、前記第２通知装置（１７０）、又は前記第３通知装置（１８０）は、前記第１入力部（１２ａ）に入力された前記割引等要望情報に基づいて、前記割引券又は前記優待券を出力するための情報である割引券等出力情報を生成し、
前記割引券等出力装置（１９０）は、前記割引券等出力情報に基づいて、前記割引券又は前記優待券を出力する、
請求項２８，２９，３２，３３，３６又は３７に記載の温泉システム（１００）。
【請求項３９】
温泉成分を含む湯を浴槽（１１）に提供する温泉提供方法であって、
前記温泉成分を配合する割合である配合割合の情報と前記湯の温度である湯温の情報とを対応付けた情報を含む第１温泉情報を記憶装置（２６，１５６）に記憶させる記憶ステップと、
前記第１温泉情報に基づいて、前記配合割合と前記湯温とを決定する制御ステップと、
を備えた、
温泉提供方法。
【請求項４０】
温泉成分を含む湯を浴槽（１１）に提供するための温泉提供プログラムであって、前記温泉成分を配合する割合である配合割合の情報と前記湯の温度である湯温の情報とを対応付けた情報を含む第１温泉情報が記憶された記憶装置（２６，１５６）を備えるコンピュータに、
前記記憶装置（２６，１５６）から前記第１温泉情報を読み出す読み出しステップと、
前記読み出しステップにおいて読み出された前記第１温泉情報に基づいて、前記配合割合と前記湯温とを決定する制御ステップと、
を実行させる、温泉提供プログラム。
【発明の詳細な説明】
【技術分野】
【０００１】
本発明は、温泉システム、温泉提供方法及び温泉提供プログラムに関する。
【背景技術】
【０００２】
従来から、温泉成分を湯に配合して浴槽に提供するシステムが提案されている（特許文献１参照）。
【特許文献１】特開２００３−１０２８０２（第１−６頁、第１−５図）
【発明の開示】
【発明が解決しようとする課題】
【０００３】
しかしながら、従来のシステムでは、利用者は、温泉をリアルに体験することが困難である。なぜならば、従来のシステムは、利用者による温泉成分の配合割合の変更を受け付けているものの、利用者が特定の温泉をリアルに体験することを望む場合には、自らその特定の温泉における温泉成分の配合割合を調べる必要がある。また、利用者が自ら配合割合を調べることにより、利用者に特定の温泉に類似する湯が提供されたとしても、その特定の温泉と湯温が異なる場合には、利用者は、温泉をリアルに体験することができない。
【０００４】
本発明の課題は、温泉をリアルに体験することができる温泉システム、温泉提供方法及び温泉提供プログラムを提供することにある。
【課題を解決するための手段】
【０００５】
第１発明にかかる温泉システムは、第１記憶部と、制御部とを備え、温泉成分を含む湯を浴槽に提供する。第１記憶部は、第１温泉情報を記憶する。第１温泉情報は、配合割合の情報と湯温の情報とを対応付けた情報を含む。配合割合は、温泉成分を配合する割合である。湯温は、湯の温度である。制御部は、第１温泉情報に基づいて、配合割合と湯温とを決定する。
この温泉システムでは、配合割合の情報と湯温の情報とを対応付けた情報を含む第１温泉情報が記憶されており、第１温泉情報に基づいて、配合割合と湯温とが決定される。これにより、この温泉システムの利用者は、温泉をリアルに体験することができる。
【０００６】
第２発明にかかる温泉システムは、第１発明にかかる温泉システムであって、配合部と、加熱部とをさらに備える。配合部は、配合割合の情報に基づいて、温泉成分を湯に配合する。加熱部は、湯温の情報に基づいて、湯を加熱する。
この温泉システムでは、配合部により、配合割合の情報に基づいて温泉成分が湯に配合され、加熱部により、湯温の情報に基づいて湯が加熱される。これにより、この温泉システムでは、所定の温泉成分が配合され、所定の湯温まで加熱された湯を浴槽に提供することができる。
【０００７】
第３発明にかかる温泉システムは、第２発明にかかる温泉システムであって、配合部は、温泉成分を含む貯蔵ユニットを有する。
【０００８】
この温泉システムでは、配合部が温泉成分の貯蔵された貯蔵ユニットを有しているため、配合部により温泉成分を湯に配合することができる。
【０００９】
第４発明にかかる温泉システムは、第２発明にかかる温泉システムであって、第１入力部をさらに備える。第１入力部は、温泉識別情報が入力される。温泉識別情報は、温泉を識別するための情報である。第１温泉情報は、配合割合の情報と湯温の情報と温泉識別情報とを対応付けた情報を含む。制御部は、第１温泉情報と第１入力部に入力された温泉識別情報とに基づいて、配合割合と湯温とを決定する。
この温泉システムでは、配合割合の情報と湯温の情報と温泉識別情報とを対応付けた情報を含む第１温泉情報が記憶されており、温泉システムの利用者により温泉識別情報が入力される。そして、第１温泉情報と温泉システムの利用者により入力された温泉識別情報とに基づいて、配合割合と湯温とが決定される。これにより、この温泉システムでは、配合割合と湯温とを制御することができる。
【００１０】
第５発明にかかる温泉システムは、第２発明にかかる温泉システムであって、第２入力部をさらに備える。第２入力部は、温泉の効能の情報が入力される。第１温泉情報は、配合割合の情報と湯温の情報と温泉の効能の情報とを対応付けた情報を含む。制御部は、第１温泉情報と第２入力部に入力された温泉の効能の情報とに基づいて、配合割合と湯温とを決定する。
【００１１】
この温泉システムでは、配合割合の情報と湯温の情報と温泉の効能の情報とを対応付けた情報を含む第１温泉情報が記憶されており、温泉システムの利用者により温泉の効能の情報が入力される。そして、第１温泉情報と温泉システムの利用者により入力された温泉の効能の情報とに基づいて、配合割合と湯温とが決定される。これにより、この温泉システムでは、配合割合と湯温とを制御することができる。
【００１２】
第６発明にかかる温泉システムは、第２発明にかかる温泉システムであって、第１入力部と、第２記憶部と、表示部とをさらに備える。第１入力部は、温泉識別情報が入力される。温泉識別情報は、温泉を識別するための情報である。第２記憶部は、第２温泉情報を記憶する。第２温泉情報は、温泉の景色に関する情報と温泉識別情報とを対応付けた情報を含む。表示部は、第２温泉情報と第１入力部に入力された温泉識別情報とに基づいて、温泉の景色を表示する。
【００１３】
この温泉システムでは、温泉の景色に関する情報と温泉識別情報とを対応付けた情報を含む第２温泉情報が記憶されている。そして、第２温泉情報と温泉システムの利用者により入力された温泉識別情報とに基づいて、表示部に温泉の景色が表示される。これにより、温泉システムの利用者は、浴槽につかりながら温泉の景色を閲覧することが可能になり、温泉をよりリアルに体験することができる。
【００１４】
第７発明にかかる温泉システムは、第２発明にかかる温泉システムであって、第１入力部と、表示部とをさらに備える。第１入力部は、温泉識別情報が入力される。温泉識別情報は、温泉を識別するための情報である。表示部は、第１入力部に入力された温泉識別情報に対応する第１温泉情報を表示する。第１温泉情報は、配合割合の情報と湯温の情報と温泉識別情報とを対応付けた情報を含む。
【００１５】
この温泉システムでは、配合割合の情報と湯温の情報と温泉識別情報とを対応付けた情報を含む第１温泉情報が記憶されており、温泉システムの利用者により温泉識別情報が入力される。そして、表示部に、温泉システムの利用者により入力された温泉識別情報に対応する第１温泉情報が表示される。これにより、この温泉システムの利用者は、温泉についてのより詳細な情報を閲覧することができるようになり、温泉をより楽しむことができる。
【００１６】
第８発明にかかる温泉システムは、第７発明にかかる温泉システムであって、第１入力部は、表示部に第１温泉情報が表示された後に、温泉識別情報がさらに入力される。
この温泉システムでは、第１温泉情報が表示された後に、温泉識別情報がさらに入力される。これにより、この温泉システムの利用者は、温泉についての詳細な情報を確認した上で、好みの温泉を選択することができる。
【００１７】
第９発明にかかる温泉システムは、第７発明又は第８発明にかかる温泉システムであって、第１温泉情報は、配合割合の情報と湯温の情報とを対応付けた情報に、温泉の効能の情報、温泉にまつわる話の情報、温泉のお土産又は特産品の情報、温泉の付近の観光情報並びに温泉の付近の施設の割引情報又は優待情報の少なくとも１つをさらに対応付けた情報を含む。
この温泉システムでは、表示部に、温泉の効能の情報、温泉にまつわる話の情報、温泉のお土産又は特産品の情報、温泉の付近の観光情報並びに温泉の付近の施設の割引情報又は優待情報の少なくとも１つが表示される。これにより、この温泉システムの利用者は、温泉についての詳細な情報を閲覧することができる。
【００１８】
第１０発明にかかる温泉システムは、第６発明にかかる温泉システムであって、第２記憶部は、第１対応付け情報を記憶する。第１対応付け情報は、景色情報と景色識別情報とを対応付けた情報を含む。景色情報は、第２温泉情報に含まれる温泉識別情報により識別される温泉以外の景色に関する情報である。景色識別情報は、景色情報により表される景色を識別するための情報である。第１入力部は、景色識別情報が入力される。表示部は、第１対応付け情報と第１入力部に入力された景色識別情報とに基づいて、第１入力部に入力された景色識別情報により識別される景色を表示する。
【００１９】
この温泉システムでは、景色情報と景色識別情報とを対応付けた情報を含む第１対応付け情報が記憶されており、温泉システムの利用者により景色識別情報が入力される。そして、第１対応付け情報と温泉システムの利用者により入力された景色識別情報とに基づいて、表示部に利用者により入力された景色識別情報により識別される景色が表示される。これにより、この温泉システムの利用者は、浴槽につかりながら選択した温泉以外の景色を閲覧することが可能になり、温泉をより楽しむことができる。
【００２０】
第１１発明にかかる温泉システムは、第２発明にかかる温泉システムであって、第１入力部と、第３記憶部と、音声出力部とをさらに備える。第１入力部は、温泉識別情報が入力される。温泉識別情報は、温泉を識別するための情報である。第３記憶部は、第３温泉情報を記憶する。第３温泉情報は、温泉の音声に関する情報と温泉識別情報とを対応付けた情報を含む。音声出力部は、第３温泉情報と第１入力部に入力された温泉識別情報とに基づいて、温泉の音声を出力する。
【００２１】
この温泉システムでは、温泉の音声に関する情報と温泉識別情報とを対応付けた情報を含む第３温泉情報が記憶されている。そして、第３温泉情報と温泉システムの利用者により入力された温泉識別情報とに基づいて、音声出力部から温泉の音声が出力される。これにより、温泉システムの利用者は、浴槽につかりながら温泉の音声を聞くことが可能になり、温泉をよりリアルに体験することができる。
【００２２】
第１２発明にかかる温泉システムは、第２発明にかかる温泉システムであって、配合部は、加熱部と浴槽との間に設けられている。
この温泉システムでは、加熱された湯に温泉成分が配合された湯を浴槽に提供することができる。
【００２３】
第１３発明にかかる温泉システムは、第２発明にかかる温泉システムであって、除湿器と、第１入力部とをさらに備える。除湿器は、浴槽が置かれた浴室を除湿する。第１入力部は、露天風呂モードを選択するための情報が入力される。露天風呂モードは、浴室を露天風呂のように演出する運転モードである。除湿器は、露天風呂モードを選択するための情報が第１入力部に入力されたことに基づいて、浴室を除湿する。
この温泉システムでは、温泉システムの利用者により露天風呂モードを選択するための情報が入力されると、除湿器により浴槽が置かれた浴室が除湿される。これにより、この温泉システムでは、浴室を露天風呂のように演出することが可能になり、この温泉システムの利用者は、温泉をよりリアルに体験することができる。
【００２４】
第１４発明にかかる温泉システムは、第２発明にかかる温泉システムであって、加湿器と、第１入力部とをさらに備える。加湿器は、浴槽が置かれた浴室を加湿する。第１入力部は、屋内風呂モード、釜風呂モード及びスチームサウナ風呂モードのいずれかを選択するための情報が入力される。屋内風呂モードは、浴室を屋内風呂のように演出する運転モードである。釜風呂モードは、浴室を釜風呂のように演出する運転モードである。スチームサウナ風呂モードは、浴室をスチームサウナ風呂のように演出する運転モードである。加湿器は、屋内風呂モード、釜風呂モード及びスチームサウナ風呂モードのいずれかを選択するための情報が第１入力部に入力されたことに基づいて、浴室を加湿する。
この温泉システムでは、温泉システムの利用者により屋内風呂モード、釜風呂モード及びスチームサウナ風呂モードのいずれかを選択するための情報が入力されると、加湿器により浴槽が置かれた浴室が加湿される。これにより、この温泉システムでは、浴室を屋内風呂、釜風呂又はスチームサウナ風呂のように演出することが可能になり、この温泉システムの利用者は、温泉をよりリアルに体験することができる。
【００２５】
第１５発明にかかる温泉システムは、第２発明にかかる温泉システムであって、換気装置と、第１入力部とをさらに備える。換気装置は、浴槽が置かれた浴室を換気する。第１入力部は、露天風呂モード、屋内風呂モード、釜風呂モード及びスチームサウナ風呂モードのいずれかを選択するための情報が入力される。露天風呂モードは、浴室を露天風呂のように演出する運転モードである。屋内風呂モードは、浴室を屋内風呂のように演出する運転モードである。釜風呂モードは、浴室を釜風呂のように演出する運転モードである。スチームサウナ風呂モードは、浴室をスチームサウナ風呂のように演出する運転モードである。換気装置は、露天風呂モードを選択するための情報が第１入力部に入力されたことに基づいて、浴室を換気する。換気装置は、屋内風呂モード、釜風呂モード及びスチームサウナ風呂モードのいずれかを選択するための情報が第１入力部に入力されたことに基づいて、浴室の換気を停止する、あるいは浴室の換気量を低減する。
【００２６】
この温泉システムでは、温泉システムの利用者により露天風呂モードを選択するための情報が入力されると、換気装置により浴槽が置かれた浴室が換気される。屋内風呂モード、釜風呂モード及びスチームサウナ風呂モードのいずれかを選択するための情報が入力されると、浴槽が置かれた浴室の換気装置による換気が停止する、あるいは浴室の換気装置による換気量が低減される。これにより、この温泉システムでは、浴室を露天風呂、屋内風呂、釜風呂又はスチームサウナ風呂のように演出することが可能になり、この温泉システムの利用者は、温泉をよりリアルに体験することができる。
【００２７】
第１６発明にかかる温泉システムは、第２発明にかかる温泉システムであって、照明装置と、第１入力部とをさらに備える。照明装置は、浴槽が置かれた浴室を照らす。第１入力部は、露天風呂モードを選択するための情報が入力される。露天風呂モードは、浴室を露天風呂のように演出する運転モードである。照明装置は、露天風呂モードを選択するための情報が第１入力部に入力されたことに基づいて、浴槽の湯の表面をスポット的に照らす。
【００２８】
この温泉システムでは、温泉システムの利用者により露天風呂モードを選択するための情報が入力されると、照明装置により浴槽の湯の表面がスポット的に照らされる。これにより、この温泉システムでは、月明かりを演出して浴室を露天風呂のように演出することが可能になり、この温泉システムの利用者は、温泉をよりリアルに体験することができる。
【００２９】
第１７発明にかかる温泉システムは、第１発明から第１６発明のいずれかにかかる温泉システムであって、第１記憶部及び制御部は、浴槽の遠隔に存在する。
この温泉システムでは、第１温泉情報が浴室の遠隔側で管理されており、配合割合と湯温とが浴室の遠隔側で決定される。これにより、この温泉システムでは、浴室の環境を浴室の遠隔側から制御することができる。
【００３０】
第１８発明にかかる温泉システムは、第４発明にかかる温泉システムであって、第１送受信部と、第２送受信部とをさらに備える。第１送受信部は、浴槽の近傍に存在する。第２送受信部は、浴槽の遠隔であって第１記憶部及び制御部の近傍に存在し、第１ネットワーク経由で第１送受信部と通信する。第１入力部は、浴槽の近傍に存在する。第１送受信部は、第１入力部に入力された温泉識別情報を第１ネットワーク経由で第２送受信部へ送信する。第２送受信部は、制御部により決定された配合割合の情報と湯温の情報とを第１ネットワーク経由で第１送受信部へ送信する。
この温泉システムでは、第１温泉情報が浴室の遠隔側で管理されており、配合割合と湯温とが浴室の遠隔側で決定されて浴室側まで送信される。これにより、この温泉システムでは、配合割合と湯温とを浴室の遠隔側から制御することができる。
【００３１】
第１９発明にかかる温泉システムは、第６発明にかかる温泉システムであって、第１送受信部と、第２送受信部とをさらに備える。第１送受信部は、浴槽の近傍に存在する。第２送受信部は、浴槽の遠隔であって第１記憶部、第２記憶部及び制御部の近傍に存在し、第１ネットワーク経由で第１送受信部と通信する。第１入力部及び表示部は、浴槽の近傍に存在する。第１送受信部は、第１入力部に入力された温泉識別情報を第１ネットワーク経由で第２送受信部へ送信する。制御部は、第２温泉情報と第１入力部に入力された温泉識別情報とに基づいて、温泉の景色に関する情報を決定する。第２送受信部は、制御部により決定された温泉の景色に関する情報を第１ネットワーク経由で第１送受信部へ送信する。表示部は、温泉の景色に関する情報に基づいて、温泉の景色を表示する。
この温泉システムでは、第２温泉情報が浴室の遠隔側で管理されており、温泉の景色に関する情報が浴室の遠隔側で決定されて浴室側まで送信される。これにより、この温泉システムでは、表示部に表示される温泉の景色を浴室の遠隔側から制御することができる。
【００３２】
第２０発明にかかる温泉システムは、第１１発明にかかる温泉システムであって、第１送受信部と、第２送受信部とをさらに備える。第１送受信部は、浴槽の近傍に存在する。第２送受信部は、浴槽の遠隔であって第１記憶部、第３記憶部及び制御部の近傍に存在し、第１ネットワーク経由で第１送受信部と通信する。第１入力部及び音声出力部は、浴槽の近傍に存在する。第１送受信部は、第１入力部に入力された温泉識別情報を第１ネットワーク経由で第２送受信部へ送信する。制御部は、第３温泉情報と第１入力部に入力された温泉識別情報とに基づいて、温泉の音声に関する情報を決定する。第２送受信部は、制御部により決定された温泉の音声に関する情報を第１ネットワーク経由で第１送受信部へ送信する。音声出力部は、温泉の音声に関する情報に基づいて、温泉の音声を出力する。
この温泉システムでは、第３温泉情報が浴室の遠隔側で管理されており、温泉の音声に関する情報が浴室の遠隔側で決定されて浴室側まで送信される。これにより、この温泉システムでは、音声出力部から出力される温泉の音声を浴室の遠隔側から制御することができる。
【００３３】
第２１発明にかかる温泉システムは、第１８発明又は第２０発明にかかる温泉システムであって、第５記憶部をさらに備える。第５記憶部は、浴室構成情報を記憶する。浴室構成情報は、浴室の構成に関する情報である。第５記憶部は、浴槽の近傍に存在する。第１送受信部は、浴室構成情報を第１ネットワーク経由で第２送受信部へ送信する。制御部は、浴室構成情報に基づいて、可能温泉識別情報を生成する。可能温泉識別情報は、浴室に提供することが可能な温泉の環境を識別するための情報である。第２送受信部は、制御部により生成された可能温泉識別情報を第１ネットワーク経由で第１送受信部へ送信する。
【００３４】
この温泉システムでは、浴室の構成に関する情報である浴室構成情報が浴室側で記憶されており、浴室の遠隔側に送信される。そして、浴室の遠隔側で、浴室に提供することが可能な温泉の環境を識別するための情報である可能温泉識別情報が生成され、浴室側まで送信される。これにより、この温泉システムでは、利用者が浴室に提供され得る温泉の種類を管理する必要性がなくなり、利用者の利便性が向上する。
【００３５】
第２２発明にかかる温泉システムは、第２１発明にかかる温泉システムであって、表示部をさらに備える。表示部は、浴槽の近傍に存在し、可能温泉識別情報を表示する。第１入力部は、表示部に可能温泉識別情報が表示された後に、温泉識別情報が入力される。
この温泉システムでは、浴室側に存在する表示部に可能温泉識別情報が表示され、可能温泉識別情報が表示された後に、温泉システムの利用者により温泉識別情報が入力される。これにより、この温泉システムの利用者は、可能温泉識別情報に基づいて温泉識別情報を選択することが可能になる。
【００３６】
第２３発明にかかる温泉システムは、第１９発明にかかる温泉システムであって、第５記憶部をさらに備える。第５記憶部は、浴室構成情報を記憶する。浴室構成情報は、浴室の構成に関する情報である。第５記憶部は、浴槽の近傍に存在する。第１送受信部は、浴室構成情報を第１ネットワーク経由で第２送受信部へ送信する。制御部は、浴室構成情報に基づいて、可能温泉識別情報を生成する。可能温泉識別情報は、浴室に提供することが可能な温泉の環境を識別するための情報である。第２送受信部は、制御部により生成された可能温泉識別情報を第１ネットワーク経由で第１送受信部へ送信する。
【００３７】
この温泉システムでは、浴室の構成に関する情報である浴室構成情報が浴室側で記憶されており、浴室の遠隔側に送信される。そして、浴室の遠隔側で、浴室に提供することが可能な温泉の環境を識別するための情報である可能温泉識別情報が生成され、浴室側まで送信される。これにより、この温泉システムでは、利用者が浴室に提供され得る温泉の種類を管理する必要性がなくなり、利用者の利便性が向上する。
【００３８】
第２４発明にかかる温泉システムは、第２３発明にかかる温泉システムであって、表示部は、可能温泉識別情報を表示する。第１入力部は、表示部に可能温泉識別情報が表示された後に、温泉識別情報が入力される。
この温泉システムでは、浴室側に存在する表示部に可能温泉識別情報が表示され、可能温泉識別情報が表示された後に、温泉識別情報が入力される。これにより、この温泉システムの利用者は、可能温泉識別情報に基づいて、温泉識別情報を選択することが可能になる。
【００３９】
第２５発明にかかる温泉システムは、第２２発明又は第２４発明にかかる温泉システムであって、配合部は、貯蔵ユニットと、第４記憶部とを有する。貯蔵ユニットは、温泉成分を含む。第４記憶部は、残量情報を記憶する。残量情報は、貯蔵ユニットに含まれる温泉成分の残量に関する情報である。配合部は、浴槽の近傍に存在する。第１送受信部は、残量情報を第１ネットワーク経由で第２送受信部へ送信する。制御部は、残量情報に基づいて、貯蔵ユニットが交換時期に達したか否かを判断する。
この温泉システムでは、貯蔵ユニットに含まれる温泉成分の残量に関する情報が記憶されており、残量情報に基づいて、貯蔵ユニットが交換時期に達したか否かが判断される。これにより、この温泉システムでは、利用者が貯蔵ユニットの交換時期を管理する必要性がなくなり、利用者の利便性が向上する。
【００４０】
第２６発明にかかる温泉システムは、第２５発明にかかる温泉システムであって、制御部は、貯蔵ユニット購入案内情報を生成する。貯蔵ユニット購入案内情報は、交換時期に達していると判断された貯蔵ユニットについての購入案内に関する情報である。第２送受信部は、貯蔵ユニット購入案内情報を第１ネットワーク経由で第１送受信部へ送信する。
この温泉システムでは、交換時期に達していると判断された貯蔵ユニットについての購入案内に関する情報である貯蔵ユニット購入案内情報が浴室の遠隔側で生成され、浴室側に送信される。これにより、この温泉システムの利用者は、貯蔵ユニットが交換時期に達したことを知ることができる。
【００４１】
第２７発明にかかる温泉システムは、第２６発明にかかる温泉システムであって、表示部は、貯蔵ユニット購入案内情報を表示する。第１入力部は、表示部に貯蔵ユニット購入案内情報が表示された後に、貯蔵ユニット購入要望情報が入力される。貯蔵ユニット購入要望情報は、貯蔵ユニットの少なくとも１つの購入の要望を示す情報である。
この温泉システムでは、浴室側に存在する表示部に貯蔵ユニット購入案内情報が表示され、貯蔵ユニット購入案内情報が表示された後に、利用者により貯蔵ユニット購入要望情報が入力される。これにより、この温泉システムの利用者は、貯蔵ユニット購入案内情報に基づいて、貯蔵ユニットの購入を要望することが可能になる。
【００４２】
第２８発明にかかる温泉システムは、第２７発明にかかる温泉システムであって、第１通知装置と、第６送受信部とをさらに備える。第１通知装置は、浴槽の遠隔に存在し、第１提供者に通知する。第１提供者は、貯蔵ユニットを提供する。第６送受信部は、第１記憶部、制御部及び第２送受信部の近傍に存在し、第３ネットワーク経由で第１通知装置と通信する。浴室構成情報は、浴室識別情報を含む。浴室識別情報は、浴室を識別するための情報である。制御部は、貯蔵ユニット購入要望情報と浴室識別情報とに基づいて第１購入ポイントを浴室毎に加算し、第２対応付け情報を生成する。第２対応付け情報は、第１購入ポイントと浴室識別情報とを対応付けた情報である。第６送受信部は、第２対応付け情報を第３ネットワーク経由で第１通知装置へ送信する。
この温泉システムでは、貯蔵ユニット購入要望情報と浴室識別情報とに基づいて第１購入ポイントが浴室毎に加算され、第１購入ポイントと浴室識別情報とを対応付けた情報が生成されて浴室の遠隔に存在する貯蔵ユニットを提供する第１提供者へ通知される。これにより、第１提供者は、浴室毎にポイントを加算することができる。
【００４３】
第２９発明にかかる温泉システムは、第２７発明にかかる温泉システムであって、第１通知装置と、第６送受信部とをさらに備える。第１通知装置は、浴槽の遠隔に存在し、第１提供者に通知する。第１提供者は、貯蔵ユニットを提供する。第６送受信部は、第１記憶部、制御部及び第２送受信部の近傍に存在し、第３ネットワーク経由で第１通知装置と通信する。浴室構成情報は、浴室を識別するための情報である浴室識別情報を含む。制御部は、貯蔵ユニット購入要望情報と浴室識別情報とに基づいて第１購入ポイントを浴室毎に加算し、第１購入ポイントに基づいて割引率又は割引金額を算出し、第５対応付け情報を生成する。第５対応付け情報は、割引率又は割引金額と浴室識別情報とを対応付けた情報である。第６送受信部は、第５対応付け情報を第３ネットワーク経由で第１通知装置へ送信する。
【００４４】
この温泉システムでは、貯蔵ユニット購入要望情報と浴室識別情報とに基づいて第１購入ポイントが浴室毎に加算され、第１購入ポイントに基づいて割引率又は割引金額が算出され、割引率又は割引金額と浴室識別情報とを対応付けた情報が生成されて浴室の遠隔に存在する貯蔵ユニットを提供する第１提供者へ通知される。これにより、第１提供者は、浴室毎に割引率又は割引金額を設定することができる。
【００４５】
第３０発明にかかる温泉システムは、第２２発明又は第２４発明にかかる温泉システムであって、制御部は、お土産等購入案内情報を生成する。お土産等購入案内情報は、第１入力部に入力された温泉識別情報により識別される温泉のお土産又は特産品の購入案内に関する情報である。第２送受信部は、お土産等購入案内情報を第１ネットワーク経由で第１送受信部へ送信する。
この温泉システムでは、利用者により入力された温泉識別情報により識別される温泉のお土産又は特産品の購入案内に関する情報であるお土産等購入案内情報が浴室の遠隔側で生成され、浴室側に送信される。これにより、この温泉システムの利用者は、選択した温泉のお土産又は特産品の購入を検討することができる。
【００４６】
第３１発明にかかる温泉システムは、第３０発明にかかる温泉システムであって、表示部は、お土産等購入案内情報を表示する。第１入力部は、表示部にお土産等購入案内情報が表示された後に、お土産等購入要望情報が入力される。お土産等購入要望情報は、温泉のお土産又は特産品の購入の要望を示す情報である。
この温泉システムでは、浴室側に存在する表示部にお土産等購入案内情報が表示され、お土産等購入案内情報が表示された後に、利用者によりお土産等購入要望情報が入力される。これにより、この温泉システムの利用者は、お土産等購入案内情報に基づいて、温泉のお土産又は特産品の購入を要望することが可能になる。
【００４７】
第３２発明にかかる温泉システムは、第３１発明にかかる温泉システムであって、第２通知装置と、第７送受信部とをさらに備える。第２通知装置は、浴槽の遠隔に存在し、第２提供者に通知する。第２提供者は、温泉のお土産又は特産品を提供する。第７送受信部は、第１記憶部、制御部及び第２送受信部の近傍に存在し、第５ネットワーク経由で第２通知装置と通信する。浴室構成情報は、浴室を識別するための情報である浴室識別情報を含む。制御部は、お土産等購入要望情報と浴室識別情報とに基づいて第２購入ポイントを浴室毎に加算し、第３対応付け情報を生成する。第３対応付け情報は、第２購入ポイントと浴室識別情報とを対応付けた情報である。第７送受信部は、第６対応付け情報を第５ネットワーク経由で第２通知装置へ送信する。
この温泉システムでは、お土産等購入要望情報と浴室識別情報とに基づいて第２購入ポイントが浴室毎に加算され、第２購入ポイントと浴室識別情報とを対応付けた情報が生成されて浴室の遠隔に存在する温泉のお土産又は特産品を提供する第２提供者へ通知される。これにより、第２提供者は、浴室毎にポイントを加算することができる。
【００４８】
第３３発明にかかる温泉システムは、第３１発明にかかる温泉システムであって、第２通知装置と、第７送受信部とをさらに備える。第２通知装置は、浴槽の遠隔に存在し、第２提供者に通知する。第２提供者は、温泉のお土産又は特産品を提供する。第７送受信部は、第１記憶部、制御部及び第２送受信部の近傍に存在し、第５ネットワーク経由で第２通知装置と通信する。浴室構成情報は、浴室を識別するための情報である浴室識別情報を含む。制御部は、お土産等購入要望情報と浴室識別情報とに基づいて第２購入ポイントを浴室毎に加算し、第２購入ポイントに基づいて割引率又は割引金額を算出し、第６対応付け情報を生成する。第６対応付け情報は、割引率又は割引金額と浴室識別情報とを対応付けた情報である。第７送受信部は、第６対応付け情報を第５ネットワーク経由で第２通知装置へ送信する。
【００４９】
この温泉システムでは、お土産等購入要望情報と浴室識別情報とに基づいて第２購入ポイントが浴室毎に加算され、第２購入ポイントに基づいて割引率又は割引金額が算出され、割引率又は割引金額と浴室識別情報とを対応付けた情報が生成されて浴室の遠隔に存在する温泉のお土産又は特産品を提供する第２提供者へ通知される。これにより、第２提供者は、浴室毎に割引率又は割引金額を設定することができる。
【００５０】
第３４発明にかかる温泉システムは、第２２発明又は第２４発明にかかる温泉システムであって、制御部は、旅行案内情報を生成する。旅行案内情報は、第１入力部に入力された温泉識別情報により識別される温泉の付近への旅行計画の案内に関する情報である。第２送受信部は、旅行案内情報を第１ネットワーク経由で第１送受信部へ送信する。
この温泉システムでは、利用者により入力された温泉識別情報により識別される温泉の付近への旅行計画の案内に関する情報である旅行案内情報が浴室の遠隔側で生成され、浴室側に送信される。これにより、この温泉システムの利用者は、選択した温泉の付近への旅行計画についての契約を検討することができる。
【００５１】
第３５発明にかかる温泉システムは、第３４発明にかかる温泉システムであって、表示部は、旅行案内情報を表示する。第１入力部は、表示部に旅行案内情報が表示された後に、契約要望情報が入力される。契約要望情報は、旅行計画について契約する旨の要望を示す情報である。
この温泉システムでは、浴室側に存在する表示部に旅行案内情報が表示され、旅行案内情報が表示された後に、利用者により契約要望情報が入力される。これにより、この温泉システムの利用者は、旅行案内情報に基づいて、旅行計画についての契約を要望することが可能になる。
【００５２】
第３６発明にかかる温泉システムは、第３５発明にかかる温泉システムであって、第３通知装置と、第８送受信部とをさらに備える。第３通知装置は、浴槽の遠隔に存在し、第３提供者に通知する。第３提供者は、旅行計画を提供する。第８送受信部は、第１記憶部、制御部及び第２送受信部の近傍に存在し、第７ネットワーク経由で第３通知装置と通信する。浴室構成情報は、浴室を識別するための情報である浴室識別情報を含む。制御部は、契約要望情報と浴室識別情報とに基づいて契約ポイントを浴室毎に加算し、第４対応付け情報を生成する。第４対応付け情報は、契約ポイントと浴室識別情報とを対応付けた情報である。第８送受信部は、第４対応付け情報を第７ネットワーク経由で第３通知装置へ送信する。
この温泉システムでは、契約要望情報と浴室識別情報とに基づいて契約ポイントが浴室毎に加算され、契約ポイントと浴室識別情報とを対応付けた情報が生成されて浴室の遠隔に存在する旅行計画を提供する第３提供者へ通知される。これにより、第３提供者は、浴室毎にポイントを加算することができる。
【００５３】
第３７発明にかかる温泉システムは、第３５発明にかかる温泉システムであって、第３通知装置と、第８送受信部とをさらに備える。第３通知装置は、浴槽の遠隔に存在し、第３提供者に通知する。第３提供者は、旅行計画を提供する。第８送受信部は、第１記憶部、制御部及び第２送受信部の近傍に存在し、第７ネットワーク経由で第３通知装置と通信する。浴室構成情報は、浴室を識別するための情報である浴室識別情報を含む。制御部は、契約要望情報と浴室識別情報とに基づいて契約ポイントを浴室毎に加算し、契約ポイントに基づいて割引率又は割引金額を算出し、第７対応付け情報を生成する。第７対応付け情報は、割引率又は割引金額と浴室識別情報とを対応付けた情報である。第８送受信部は、第７対応付け情報を第７ネットワーク経由で第３通知装置へ送信する。
【００５４】
この温泉システムでは、契約要望情報と浴室識別情報とに基づいて契約ポイントが浴室毎に加算され、契約ポイントに基づいて割引率又は割引金額が算出され、割引率又は割引金額と浴室識別情報とを対応付けた情報が生成されて浴室の遠隔に存在する旅行計画を提供する第３提供者へ通知される。これにより、第３提供者は、浴室毎に割引率又は割引金額を設定することができる。
【００５５】
第３８発明にかかる温泉システムは、第２８発明、第２９発明、第３２発明、第３３発明、第３６発明又は第３７発明にかかる温泉システムであって、割引券等出力装置をさらに備える。割引券等出力装置は、貯蔵ユニット、お土産若しくは特産品、又は旅行計画の割引券又は優待券を出力する。第１入力部は、割引等要望情報が入力される。割引等要望情報は、割引券又は優待券の提供を求めるための情報である。第１通知装置、第２通知装置、又は第３通知装置は、第１入力部に入力された割引等要望情報に基づいて、割引券等出力情報を生成する。割引券等出力情報は、割引券又は優待券を出力するための情報である。割引券等出力装置は、割引券等出力情報に基づいて、割引券又は優待券を出力する。
【００５６】
この温泉システムでは、利用者により割引券又は優待券の提供を求めるための情報である割引等要望情報が入力され、割引等要望情報に基づいて旅行計画の割引券又は優待券が出力される。これにより、第３提供者は、割引券又は優待券を発行して、利用者の購買意欲を増進させることができる。
【００５７】
第３９発明にかかる温泉提供方法は、温泉成分を含む湯を浴槽に提供する温泉提供方法であって、記憶ステップと、制御ステップとを備える。記憶ステップは、第１温泉情報を記憶装置に記憶させる。第１温泉情報は、配合割合の情報と湯温の情報とを対応付けた情報を含む。配合割合は、温泉成分を配合する割合である。湯温は、湯の温度である。制御ステップは、第１温泉情報に基づいて、配合割合と湯温とを決定する。
この温泉提供方法によれば、配合割合の情報と湯温の情報とを対応付けた情報を含む第１温泉情報が記憶装置に記憶され、第１温泉情報に基づいて、配合割合と湯温とが決定される。これにより、この温泉提供方法により温泉が提供される利用者は、温泉をリアルに体験することができる。
【００５８】
第４０発明にかかる温泉提供プログラムは、温泉成分を含む湯を浴槽に提供するための温泉提供プログラムであって、コンピュータに、読み出しステップと、制御ステップとを実行させる。コンピュータは、記憶装置を備える。記憶装置は、第１温泉情報を記憶する。第１温泉情報は、配合割合の情報と湯温の情報とを対応付けた情報を含む。配合割合は、温泉成分を配合する割合である。湯温は、湯の温度である。読み出しステップは、記憶装置から第１温泉情報を読み出す。制御ステップは、読み出しステップにおいて読み出された第１温泉情報に基づいて、配合割合と湯温とを決定する。
この温泉提供プログラムが実行されると、記憶装置から配合割合の情報と湯温の情報とを対応付けた情報を含む第１温泉情報が読み出され、読み出された第１温泉情報に基づいて配合割合と湯温とが決定される。これにより、この温泉提供プログラムにより温泉が提供される利用者は、温泉をリアルに体験することができる。
【発明の効果】
【００５９】
第１発明にかかる温泉システムでは、配合割合の情報と湯温の情報とを対応付けた情報を含む第１温泉情報が記憶されており、第１温泉情報に基づいて、配合割合と湯温とが決定される。これにより、この温泉システムの利用者は、温泉をリアルに体験することができる。
第２発明にかかる温泉システムでは、配合部により、配合割合の情報に基づいて温泉成分が湯に配合され、加熱部により、湯温の情報に基づいて湯が加熱される。これにより、この温泉システムでは、所定の温泉成分が配合され、所定の湯温まで加熱された湯を浴槽に提供することができる。
【００６０】
第３発明にかかる温泉システムでは、配合部が温泉成分の貯蔵された貯蔵ユニットを有しているため、配合部により温泉成分を湯に配合することができる。
第４発明にかかる温泉システムでは、配合割合の情報と湯温の情報と温泉識別情報とを対応付けた情報を含む第１温泉情報が記憶されており、温泉システムの利用者により温泉識別情報が入力される。そして、第１温泉情報と温泉システムの利用者により入力された温泉識別情報とに基づいて、配合割合と湯温とが決定される。これにより、この温泉システムでは、配合割合と湯温とを制御することができる。
【００６１】
第５発明にかかる温泉システムでは、配合割合の情報と湯温の情報と温泉の効能の情報とを対応付けた情報を含む第１温泉情報が記憶されており、温泉システムの利用者により温泉の効能の情報が入力される。そして、第１温泉情報と温泉システムの利用者により入力された温泉の効能の情報とに基づいて、配合割合と湯温とが決定される。これにより、この温泉システムでは、配合割合と湯温とを制御することができる。
【００６２】
第６発明にかかる温泉システムでは、温泉の景色に関する情報と温泉識別情報とを対応付けた情報を含む第２温泉情報が記憶されている。そして、第２温泉情報と温泉システムの利用者により入力された温泉識別情報とに基づいて、表示部に温泉の景色が表示される。これにより、温泉システムの利用者は、浴槽につかりながら温泉の景色を閲覧することが可能になり、温泉をよりリアルに体験することができる。
【００６３】
第７発明にかかる温泉システムでは、配合割合の情報と湯温の情報と温泉識別情報とを対応付けた情報を含む第１温泉情報が記憶されており、温泉システムの利用者により温泉識別情報が入力される。そして、表示部に、温泉システムの利用者により入力された温泉識別情報に対応する第１温泉情報が表示される。これにより、この温泉システムの利用者は、温泉についてのより詳細な情報を閲覧することができるようになり、温泉をより楽しむことができる。
【００６４】
第８発明にかかる温泉システムでは、第１温泉情報が表示された後に、温泉識別情報がさらに入力される。これにより、この温泉システムの利用者は、温泉についての詳細な情報を確認した上で、好みの温泉を選択することができる。
第９発明にかかる温泉システムでは、表示部に、温泉の効能の情報、温泉にまつわる話の情報、温泉のお土産又は特産品の情報、温泉の付近の観光情報並びに温泉の付近の施設の割引情報又は優待情報の少なくとも１つが表示される。これにより、この温泉システムの利用者は、温泉についての詳細な情報を閲覧することができる。
【００６５】
第１０発明にかかる温泉システムでは、景色情報と景色識別情報とを対応付けた情報を含む第１対応付け情報が記憶されており、温泉システムの利用者により景色識別情報が入力される。そして、第１対応付け情報と温泉システムの利用者により入力された景色識別情報とに基づいて、表示部に利用者により入力された景色識別情報により識別される景色が表示される。これにより、この温泉システムの利用者は、浴槽につかりながら選択した温泉以外の景色を閲覧することが可能になり、温泉をより楽しむことができる。
【００６６】
第１１発明にかかる温泉システムでは、温泉の音声に関する情報と温泉識別情報とを対応付けた情報を含む第３温泉情報が記憶されている。そして、第３温泉情報と温泉システムの利用者により入力された温泉識別情報とに基づいて、音声出力部から温泉の音声が出力される。これにより、温泉システムの利用者は、浴槽につかりながら温泉の音声を聞くことが可能になり、温泉をよりリアルに体験することができる。
【００６７】
第１２発明にかかる温泉システムでは、加熱された湯に温泉成分が配合された湯を浴槽に提供することができる。
第１３発明にかかる温泉システムでは、温泉システムの利用者により露天風呂モードを選択するための情報が入力されると、除湿器により浴槽が置かれた浴室が除湿される。これにより、この温泉システムでは、浴室を露天風呂のように演出することが可能になり、この温泉システムの利用者は、温泉をよりリアルに体験することができる。
【００６８】
第１４発明にかかる温泉システムでは、温泉システムの利用者により屋内風呂モード、釜風呂モード及びスチームサウナ風呂モードのいずれかを選択するための情報が入力されると、加湿器により浴槽が置かれた浴室が加湿される。これにより、この温泉システムでは、浴室を屋内風呂、釜風呂又はスチームサウナ風呂のように演出することが可能になり、この温泉システムの利用者は、温泉をよりリアルに体験することができる。
【００６９】
第１５発明にかかる温泉システムでは、温泉システムの利用者により露天風呂モードを選択するための情報が入力されると、換気装置により浴槽が置かれた浴室が換気される。屋内風呂モード、釜風呂モード及びスチームサウナ風呂モードのいずれかを選択するための情報が入力されると、浴槽が置かれた浴室の換気装置による換気が停止する、あるいは浴室の換気装置による換気量が低減される。これにより、この温泉システムでは、浴室を露天風呂、屋内風呂、釜風呂又はスチームサウナ風呂のように演出することが可能になり、この温泉システムの利用者は、温泉をよりリアルに体験することができる。
【００７０】
第１６発明にかかる温泉システムでは、温泉システムの利用者により露天風呂モードを選択するための情報が入力されると、照明装置により浴槽の湯の表面がスポット的に照らされる。これにより、この温泉システムでは、月明かりを演出して浴室を露天風呂のように演出することが可能になり、この温泉システムの利用者は、温泉をよりリアルに体験することができる。
【００７１】
第１７発明にかかる温泉システムでは、第１温泉情報が浴室の遠隔側で管理されており、配合割合と湯温とが浴室の遠隔側で決定される。これにより、この温泉システムでは、浴室の環境を浴室の遠隔側から制御することができる。
第１８発明にかかる温泉システムでは、第１温泉情報が浴室の遠隔側で管理されており、配合割合と湯温とが浴室の遠隔側で決定されて浴室側まで送信される。これにより、この温泉システムでは、配合割合と湯温とを浴室の遠隔側から制御することができる。
【００７２】
第１９発明にかかる温泉システムでは、第２温泉情報が浴室の遠隔側で管理されており、温泉の景色に関する情報が浴室の遠隔側で決定されて浴室側まで送信される。これにより、この温泉システムでは、表示部に表示される温泉の景色を浴室の遠隔側から制御することができる。
第２０発明にかかる温泉システムでは、第３温泉情報が浴室の遠隔側で管理されており、温泉の音声に関する情報が浴室の遠隔側で決定されて浴室側まで送信される。これにより、この温泉システムでは、音声出力部から出力される温泉の音声を浴室の遠隔側から制御することができる。
【００７３】
第２１発明にかかる温泉システムでは、浴室の構成に関する情報である浴室構成情報が浴室側で記憶されており、浴室の遠隔側に送信される。そして、浴室の遠隔側で、浴室に提供することが可能な温泉の環境を識別するための情報である可能温泉識別情報が生成され、浴室側まで送信される。これにより、この温泉システムでは、利用者が浴室に提供され得る温泉の種類を管理する必要性がなくなり、利用者の利便性が向上する。
【００７４】
第２２発明にかかる温泉システムでは、浴室側に存在する表示部に可能温泉識別情報が表示され、可能温泉識別情報が表示された後に、温泉システムの利用者により温泉識別情報が入力される。これにより、この温泉システムの利用者は、可能温泉識別情報に基づいて温泉識別情報を選択することが可能になる。
第２３発明にかかる温泉システムでは、浴室の構成に関する情報である浴室構成情報が浴室側で記憶されており、浴室の遠隔側に送信される。そして、浴室の遠隔側で、浴室に提供することが可能な温泉の環境を識別するための情報である可能温泉識別情報が生成され、浴室側まで送信される。これにより、この温泉システムでは、利用者が浴室に提供され得る温泉の種類を管理する必要性がなくなり、利用者の利便性が向上する。
【００７５】
第２４発明にかかる温泉システムでは、浴室側に存在する表示部に可能温泉識別情報が表示され、可能温泉識別情報が表示された後に、温泉識別情報が入力される。これにより、この温泉システムの利用者は、可能温泉識別情報に基づいて、温泉識別情報を選択することが可能になる。
第２５発明にかかる温泉システムでは、貯蔵ユニットに含まれる温泉成分の残量に関する情報が記憶されており、残量情報に基づいて、貯蔵ユニットが交換時期に達したか否かが判断される。これにより、この温泉システムでは、利用者が貯蔵ユニットの交換時期を管理する必要性がなくなり、利用者の利便性が向上する。
【００７６】
第２６発明にかかる温泉システムでは、交換時期に達していると判断された貯蔵ユニットについての購入案内に関する情報である貯蔵ユニット購入案内情報が浴室の遠隔側で生成され、浴室側に送信される。これにより、この温泉システムの利用者は、貯蔵ユニットが交換時期に達したことを知ることができる。
第２７発明にかかる温泉システムでは、浴室側に存在する表示部に貯蔵ユニット購入案内情報が表示され、貯蔵ユニット購入案内情報が表示された後に、利用者により貯蔵ユニット購入要望情報が入力される。これにより、この温泉システムの利用者は、貯蔵ユニット購入案内情報に基づいて、貯蔵ユニットの購入を要望することが可能になる。
【００７７】
第２８発明にかかる温泉システムでは、貯蔵ユニット購入要望情報と浴室識別情報とに基づいて第１購入ポイントが浴室毎に加算され、第１購入ポイントと浴室識別情報とを対応付けた情報が生成されて浴室の遠隔に存在する貯蔵ユニットを提供する第１提供者へ通知される。これにより、第１提供者は、浴室毎にポイントを加算することができる。
第２９発明にかかる温泉システムでは、貯蔵ユニット購入要望情報と浴室識別情報とに基づいて第１購入ポイントが浴室毎に加算され、第１購入ポイントに基づいて割引率又は割引金額が算出され、割引率又は割引金額と浴室識別情報とを対応付けた情報が生成されて浴室の遠隔に存在する貯蔵ユニットを提供する第１提供者へ通知される。これにより、第１提供者は、浴室毎に割引率又は割引金額を設定することができる。
【００７８】
第３０発明にかかる温泉システムでは、利用者により入力された温泉識別情報により識別される温泉のお土産又は特産品の購入案内に関する情報であるお土産等購入案内情報が浴室の遠隔側で生成され、浴室側に送信される。これにより、この温泉システムの利用者は、選択した温泉のお土産又は特産品の購入を検討することができる。
第３１発明にかかる温泉システムでは、浴室側に存在する表示部にお土産等購入案内情報が表示され、お土産等購入案内情報が表示された後に、利用者によりお土産等購入要望情報が入力される。これにより、この温泉システムの利用者は、お土産等購入案内情報に基づいて、温泉のお土産又は特産品の購入を要望することが可能になる。
【００７９】
第３２発明にかかる温泉システムでは、お土産等購入要望情報と浴室識別情報とに基づいて第２購入ポイントが浴室毎に加算され、第２購入ポイントと浴室識別情報とを対応付けた情報が生成されて浴室の遠隔に存在する温泉のお土産又は特産品を提供する第２提供者へ通知される。これにより、第２提供者は、浴室毎にポイントを加算することができる。
【００８０】
第３３発明にかかる温泉システムでは、お土産等購入要望情報と浴室識別情報とに基づいて第２購入ポイントが浴室毎に加算され、第２購入ポイントに基づいて割引率又は割引金額が算出され、割引率又は割引金額と浴室識別情報とを対応付けた情報が生成されて浴室の遠隔に存在する温泉のお土産又は特産品を提供する第２提供者へ通知される。これにより、第２提供者は、浴室毎に割引率又は割引金額を設定することができる。
【００８１】
第３４発明にかかる温泉システムでは、利用者により入力された温泉識別情報により識別される温泉の付近への旅行計画の案内に関する情報である旅行案内情報が浴室の遠隔側で生成され、浴室側に送信される。これにより、この温泉システムの利用者は、選択した温泉の付近への旅行計画についての契約を検討することができる。
第３５発明にかかる温泉システムでは、浴室側に存在する表示部に旅行案内情報が表示され、旅行案内情報が表示された後に、利用者により契約要望情報が入力される。これにより、この温泉システムの利用者は、旅行案内情報に基づいて、旅行計画についての契約を要望することが可能になる。
【００８２】
第３６発明にかかる温泉システムでは、契約要望情報と浴室識別情報とに基づいて契約ポイントが浴室毎に加算され、契約ポイントと浴室識別情報とを対応付けた情報が生成されて浴室の遠隔に存在する旅行計画を提供する第３提供者へ通知される。これにより、第３提供者は、浴室毎にポイントを加算することができる。
第３７発明にかかる温泉システムでは、契約要望情報と浴室識別情報とに基づいて契約ポイントが浴室毎に加算され、契約ポイントに基づいて割引率又は割引金額が算出され、割引率又は割引金額と浴室識別情報とを対応付けた情報が生成されて浴室の遠隔に存在する旅行計画を提供する第３提供者へ通知される。これにより、第３提供者は、浴室毎に割引率又は割引金額を設定することができる。
【００８３】
第３８発明にかかる温泉システムでは、利用者により割引券又は優待券の提供を求めるための情報である割引等要望情報が入力され、割引等要望情報に基づいて旅行計画の割引券又は優待券が出力される。これにより、第３提供者は、割引券又は優待券を発行して、利用者の購買意欲を増進させることができる。
第３９発明にかかる温泉提供方法によれば、配合割合の情報と湯温の情報とを対応付けた情報を含む第１温泉情報が記憶装置に記憶され、第１温泉情報に基づいて、配合割合と湯温とが決定される。これにより、この温泉提供方法により温泉が提供される利用者は、温泉をリアルに体験することができる。
【００８４】
第４０発明にかかる温泉提供プログラムが実行されると、記憶装置から配合割合の情報と湯温の情報とを対応付けた情報を含む第１温泉情報が読み出され、読み出された第１温泉情報に基づいて配合割合と湯温とが決定される。これにより、この温泉提供プログラムにより温泉が提供される利用者は、温泉をリアルに体験することができる。
【発明を実施するための最良の形態】
【００８５】
［第１実施形態］
図１に、本発明の第１実施形態にかかる温泉システム１の構成図を示す。また、図２〜図４に、温泉システム１の構成要素の構成図を示す。温泉システム１は、温泉成分を含む湯を後述の浴槽１１に提供するためのシステムである。
＜温泉システム１の全体構成＞
図１に示す温泉システム１は、主として、浴槽１１，リモコン１２，表示装置１３，音声出力装置１４，制御装置２０，配合装置３０，給湯機４０及び配管群９０（配管９２〜９４，９７，９８，連動開閉三方弁９５，９６）を備える。浴槽１１，リモコン１２，表示装置１３及び音声出力装置１４は、浴室１０に設置されている。
【００８６】
＜制御装置２０の構成＞
図１に示す制御装置２０は、図２に示すように、主として、制御部２５，第１記憶部２６，第２記憶部２７及び第３記憶部２８を備える。第１記憶部２６には、主として、第１温泉情報２６ａが記憶されている。ここで、第１温泉情報は、温泉識別情報と配合割合の情報と湯温の情報とを対応付けた情報である。温泉識別情報は、温泉を識別するための情報であって、本実施形態では、例えば、温泉の名前を示す情報である。配合割合は、浴槽１１（図１参照）に給湯する湯に配合する温泉成分の割合である。湯温は、浴槽１１（図１参照）に給湯する湯の温度である。第２記憶部２７には、主として、第２温泉情報２７ａが記憶されている。ここで、第２温泉情報２７ａは、温泉の景色に関する情報と温泉識別情報とを対応付けた情報である。第３記憶部２８には、主として、第３温泉情報２８ａが記憶されている。ここで、第３温泉情報２８ａは、温泉の音声に関する情報と温泉識別情報とを対応付けた情報である。
【００８７】
図２に示す制御部２５は、温泉識別情報をリモコン１２から受け取る。制御部２５は、第１温泉情報２６ａを第１記憶部２６から受け取る。制御部２５は、第１記憶部２６から受け取った第１温泉情報２６ａとリモコン１２から受け取った温泉識別情報とに基づいて、配合割合と湯温とを決定する。制御部２５は、決定された配合割合の情報と湯温の情報とに基づいて、配合割合と湯温とを制御する。すなわち、制御部２５は、配合割合の情報に基づいて、配合装置３０、連動開閉三方弁９５及び連動開閉三方弁９６を制御するための制御信号を生成しそれぞれを配合装置３０、連動開閉三方弁９５及び連動開閉三方弁９６へ渡す。制御部２５は、湯温の情報に基づいて、給湯機４０を制御するための制御信号を生成して給湯機４０へ渡す。
【００８８】
制御部２５は、温泉識別情報をリモコン１２から受け取る。制御部２５は、第２温泉情報２７ａを第２記憶部２７から受け取る。制御部２５は、第２記憶部２７から受け取った第２温泉情報２７ａとリモコン１２から受け取った温泉識別情報とに基づいて、温泉の景色に関する情報を決定する。制御部２５は、決定された温泉の景色に関する情報に基づいて、表示装置１３を制御するための制御信号を生成して表示装置１３へ渡す。
【００８９】
制御部２５は、温泉識別情報をリモコン１２から受け取る。制御部２５は、第３温泉情報２８ａを第３記憶部２８から受け取る。制御部２５は、第３記憶部２８から受け取った第３温泉情報２８ａとリモコン１２から受け取った温泉識別情報とに基づいて、温泉の音声に関する情報を決定する。制御部２５は、決定された温泉の音声に関する情報に基づいて、音声出力装置１４を制御するための制御信号を生成して音声出力装置１４へ渡す。
【００９０】
＜配合装置３０の構成＞
図１に示す配合装置３０は、図３に示すように、主として、配管３６ａ〜３６ｃ，３７ａ〜３７ｃ，３８ａ〜３８ｃ，９２，９３、電動弁３６ｄ〜３８ｄおよびカートリッジ３３〜３５を備える。カートリッジ３３は、主として、温泉成分源３３ａを有する。カートリッジ３４は、主として、温泉成分源３４ａを有する。カートリッジ３５は、主として、温泉成分源３５ａを有する。温泉成分源３３ａ〜３５ａは、それぞれ温泉成分の源である。
【００９１】
配管９３から流れ込んだ湯は、配管３６ｃ〜３８ｃを経由して、それぞれ、電動弁３６ｄ〜３８ｄへ導かれる。電動弁３６ｄ〜３８ｄへ導かれた湯は、それぞれ、温泉成分源３３ａ〜３５ａを通過する際に温泉成分が配合される。温泉成分源３３ａ〜３５ａにより温泉成分が配合された湯は、それぞれ、配管３６ｂ〜３８ｂを経由して配管９２へ合流する。
電動弁３６ｄ〜３８ｄは、配合割合の情報に基づいた制御信号を制御装置２０から受け取り、制御信号に応じた開度で湯を通過させる。電動弁３６ｄ〜３８ｄの開度に応じて、温泉成分源３３ａ〜３５ａを通過する湯の流量が決まり、所定の配合割合で温泉成分が湯に配合される。
【００９２】
＜給湯機４０の構成＞
図１に示す給湯機４０は、図４に示すように、主として、熱源ユニット４０ａ、タンク４０ｂ、加熱用配管４０ｃ、給水用パイプ４０ｄ、給湯用パイプ４０ｅ及び連動開閉三方弁４０ｆとを備える。熱源ユニット４０ａは、熱源ユニット４０ａのケーシングの内部に、加熱部４１とマイコン４５とを有する。加熱部４１は、主として、水熱交換器４１ｃ，空気熱交換器４１ａ，膨張弁４１ｄ及び圧縮機４１ｂを有する。
【００９３】
膨張弁４１ｄで減圧された低温低圧冷媒は、空気熱交換器４１ａで蒸発して周辺の空気から熱を奪い、圧縮機４１ｂで圧縮されて高温高圧冷媒へと変化する。そして、その高温高圧冷媒が、水熱交換器４１ｃで凝縮して加熱用配管４０ｃ内の水に熱を与える。この結果、タンク４０ｂ内の水が加熱される。
マイコン４５は、制御信号を制御装置２０から受け取り、制御信号に基づいて、膨張弁４１ｄ及び圧縮機４１ｂを制御する。これにより、給水用パイプ４０ｄを介して水道源からタンク４０ｂ内へ給水された水が所定の湯温まで加熱される。
タンク４０ｂ内の湯は、給湯用パイプ４０ｅを介して連動開閉三方弁４０ｆへと導かれ、連動開閉三方弁４０ｆにおいて水道源からの水と混合される。連動開閉三方弁４０ｆの開閉状態は、制御装置２０の制御部２５からの制御信号に基づいて制御され、配管９８に所定の湯温の湯が導かれる。
【００９４】
＜配管群９０の構成＞
図１に示す配管群９０は、主として、配管９２〜９４，９７，９８，連動開閉三方弁９５，９６を備える。
【００９５】
配管９８から流れ込んだ湯は、連動開閉三方弁９６の開閉状態に応じて、配管９３や配管９７へ導かれる。配管９３へ導かれた湯は、配合装置３０で温泉成分が配合されて配管９２へ導かれる。配管９７へ導かれた湯と配管９２へ導かれた湯とは、連動開閉三方弁９５の開閉状態に応じて、配管９４へ導かれて浴槽１１へ給湯される。
連動開閉三方弁９５，９６は、配合割合の情報に基づいた制御信号を制御装置２０から受け取り、制御信号に応じた開閉状態で湯を通過させる。連動開閉三方弁９５，９６の開閉状態に応じて、浴槽１１へ給湯される湯量に対する温泉成分源３３ａ〜３５ａを通過した湯量の割合が決まり、温泉成分が所定の濃度となるように配合される。
【００９６】
＜リモコン１２の構成＞
図１に示すリモコン１２は、図２に示すように、主として、第１入力部１２ａを備える。リモコン１２は、図１３に示すように、浴槽１１付近の壁などに設置される。
利用者により、図２に示す第１入力部１２ａに温泉識別情報が入力されると、第１入力部１２ａは、温泉識別情報を制御装置２０へ渡す。
【００９７】
＜表示装置１３の構成＞
図１に示す表示装置１３は、図２に示すように、主として、表示画面１３ａを備える。表示画面１３ａは、図１３に示すように、利用者が浴槽１１につかりながら表示画面１３ａに表示される映像ないし画像を閲覧可能な場所に設置される。
図２に示す表示装置１３は、第２温泉情報２７ａと温泉識別情報とに基づく情報、すなわち温泉の景色に関する情報を制御装置２０から受け取ると、第２温泉情報２７ａと温泉識別情報とに基づいて、表示画面１３ａに温泉の景色を表示する。
【００９８】
＜音声出力装置１４の構成＞
図１に示す音声出力装置１４は、図２に示すように、主として、スピーカー１４ａを備える。スピーカー１４ａは、図１３に示すように、利用者が浴槽１１につかりながらスピーカー１４ａから出力される音声を聞くことが可能な場所に設置される。
図２に示す音声出力装置１４は、第３温泉情報２８ａと温泉識別情報とに基づく情報、すなわち温泉の音声に関する情報を制御装置２０から受け取ると、第３温泉情報２８ａと温泉識別情報とに基づいて、スピーカー１４ａから温泉の音声を出力する。
【００９９】
＜第１温泉情報２６ａの構成＞
図２に示す第１温泉情報２６ａは、図１０に示すように、主として、温泉識別情報欄２６１ａ，カートリッジ欄２６２ａ，割合欄２６３ａ及び湯温欄２６４ａを有する。
温泉識別情報欄２６１ａには、温泉識別情報が記憶される。カートリッジ欄２６２ａには、カートリッジ３３〜３５（図３参照）を識別するための情報が記憶される。割合欄２６３ａには、温泉成分源３３ａ〜３５ａから供給される温泉成分の配合割合の情報が記憶される。湯温欄２６４ａには、湯温の情報が記憶される。
【０１００】
第１温泉情報２６ａを参照することにより、温泉識別情報により識別される温泉に対応する配合割合であって各温泉成分源３３ａ〜３５ａから供給される温泉成分ごとの配合割合と、温泉識別情報により識別される温泉に対応する湯温とを決定することができる。例えば、「Ａ温泉」に対応する配合割合は、カートリッジ３３（図３参照）についてａ％、カートリッジ３４（図３参照）についてｂ％、カートリッジ３５（図３参照）についてｃ％と決定される。「Ａ温泉」に対応する湯温は、４２℃と決定される。
【０１０１】
＜第２温泉情報２７ａの構成＞
図２に示す第２温泉情報２７ａは、図１１に示すように、主として、温泉識別情報欄２７１ａ及び温泉の景色に関する情報欄２７２ａを有する。
温泉識別情報欄２７１ａには、温泉識別情報が記憶される。温泉の景色に関する情報欄２７２ａには、温泉の景色に関する情報が記憶される。ここで、温泉の景色に関する情報とは、温泉の景色の画像情報である。
【０１０２】
第２温泉情報２７ａを参照することにより、温泉識別情報により識別される温泉の景色に関する情報が決定される。例えば、「Ａ温泉」の景色に関する情報は、画像情報Ｇａと決定される。画像情報Ｇａに基づいて表示画面１３ａに表示される画像は、例えば、図１３に示すように、露天風呂の景色などである。
【０１０３】
＜第３温泉情報２８ａの構成＞
図２に示す第３温泉情報２８ａは、図１２に示すように、主として、温泉識別情報欄２８１ａ及び温泉の音声に関する情報欄２８２ａを有する。
温泉識別情報欄２８１ａには、温泉識別情報が記憶される。温泉の音声に関する情報欄２８２ａには、温泉の音声に関する情報が記憶される。ここで、温泉の音声に関する情報とは、温泉の音声の音声情報である。
第３温泉情報２８ａを参照することにより、温泉識別情報により識別される温泉の音声に関する情報が決定される。例えば、「Ａ温泉」の音声に関する情報は、音声情報Ｖａと決定される。音声情報Ｖａに基づいてスピーカー１４ａから出力される音声は、例えば、添水（そうず）の音などである。
【０１０４】
＜温泉システム１が温泉成分を含む湯を浴槽１１に提供する処理の流れ＞
図１に示す温泉システム１が温泉成分を含む湯を浴槽１１に提供する処理の流れを、図５に示すフローチャートを用いて説明する。
図５に示すステップＳ１では、温泉識別情報が入力される。すなわち、利用者により、図２に示すリモコン１２の第１入力部１２ａに温泉識別情報が入力される。第１入力部１２ａは、温泉識別情報を制御装置２０へ渡す。
【０１０５】
図５に示すステップＳ２では、配合割合と湯温とが決定される。すなわち、図２に示す制御装置２０の制御部２５は、ステップＳ１で利用者により入力された温泉識別情報をリモコン１２から受け取ると、これに応じて、第１温泉情報２６ａを第１記憶部２６から受け取る。制御部２５は、第１記憶部２６から受け取った第１温泉情報２６ａとリモコン１２から受け取った温泉識別情報とに基づいて、配合割合と湯温とを決定する。
【０１０６】
図５に示すステップＳ３では、湯温調節が行われる。すなわち、図２に示す制御装置２０の制御部２５は、ステップＳ２で決定された湯温の情報に基づいて、給湯機４０を制御するための制御信号を生成し、給湯機４０へ渡す。給湯機４０のマイコン４５は、制御信号を制御装置２０から受け取ると、制御信号に基づいて、膨張弁４１ｄ及び圧縮機４１ｂを制御する。また、このとき、連動開閉三方弁４０ｆの開閉状態が、制御信号に基づいて制御される。これにより、配管９８に導かれる湯の湯温がステップＳ２で決定された湯温となるように調節される。
【０１０７】
図５に示すステップＳ４では、温泉成分が配合される。すなわち、図２に示す制御装置２０の制御部２５は、ステップＳ２で決定された配合割合の情報に基づいて、配合装置３０を制御するための制御信号を生成し、配合装置３０へ渡す。図３に示す配合装置３０の電動弁３６ｄ〜３８ｄは、配合割合の情報に基づいた制御信号を制御装置２０から受け取ると、制御信号に応じた開度で湯を通過させる。また、制御部２５は、ステップＳ２で決定された配合割合の情報に基づいて、連動開閉三方弁９５，９６を制御するための制御信号を生成し、連動開閉三方弁９５，９６へ渡す。図１に示す連動開閉三方弁９５，９６は、配合割合の情報に基づいた制御信号を制御装置２０から受け取ると、制御信号に応じた開閉状態で湯を通過させる。各温泉成分源３３ａ，３４ａ，３５ａを通過する湯の流量は、電動弁３６ｄ〜３８ｄの開度及び連動開閉三方弁９５，９６の開閉状態に応じて決定されるため、各温泉成分源３３ａ〜３５ａから供給される温泉成分は、電動弁３６ｄ〜３８ｄの開度及び連動開閉三方弁９５，９６の開閉状態を決定する制御信号に応じて所定の配合割合で配合されることになる。
【０１０８】
このとき、図１に示す配管９８から流れ込んだ湯は、連動開閉三方弁９６の開閉状態に応じて、配管９３や配管９７へ導かれる。図３に示す配管９３から流れ込んだ湯は、配管３６ｃ〜３８ｃを経由して、それぞれ、電動弁３６ｄ〜３８ｄへ導かれる。電動弁３６ｄ〜３８ｄへ導かれた湯は、それぞれ、温泉成分源３３ａ，３４ａ，３５ａを通過する際に温泉成分が配合される。温泉成分源３３ａ，３４ａ，３５ａにより温泉成分が配合された湯は、それぞれ、配管３６ｂ〜３８ｂを経由して配管９２へ合流する。
図５に示すステップＳ５では、給湯が行われる。すなわち、図１に示す配管９７へ導かれた湯と配管９２へ導かれた湯とが、連動開閉三方弁９５の開閉状態に応じて、配管９４へ導かれて浴槽１１へ給湯される。
【０１０９】
＜温泉システム１が温泉の景色を表示する処理の流れ＞
図１に示す温泉システム１が温泉の景色を表示する処理の流れを、図７に示すフローチャートを用いて説明する。なお、図７において、図５に示す処理と同様の処理は、同じ記号で示し説明を省略する。
【０１１０】
図７に示すステップＳ２１では、温泉の景色に関する情報が決定される。すなわち、図２に示す制御装置２０の制御部２５は、ステップＳ１で利用者により入力された温泉識別情報をリモコン１２から受け取ると、これに応じて、第２温泉情報２７ａを第２記憶部２７から受け取る。制御部２５は、第２記憶部２７から受け取った第２温泉情報２７ａとリモコン１２から受け取った温泉識別情報とに基づいて、温泉の景色に関する情報を決定する。
【０１１１】
図７に示すステップＳ２２では、温泉の景色が表示される。すなわち、図２に示す制御装置２０の制御部２５は、ステップＳ２１で決定された温泉の景色に関する情報に基づいて、表示装置１３を制御するための制御信号を生成し、表示装置１３へ渡す。表示装置１３は、温泉の景色に関する情報に基づいた制御信号を制御装置２０から受け取ると、制御信号に基づいて、表示画面１３ａに温泉の景色を表示する。
【０１１２】
＜温泉システム１が温泉の音声を出力する処理の流れ＞
図１に示す温泉システム１が温泉の音声を出力する処理の流れを、図８に示すフローチャートを用いて説明する。なお、図８において、図５に示す処理と同様の処理は、同じ記号で示し説明を省略する。
図８に示すステップＳ３１では、温泉の音声に関する情報が決定される。すなわち、図２に示す制御装置２０の制御部２５は、ステップＳ１で利用者により入力された温泉識別情報をリモコン１２から受け取ると、これに応じて、第３温泉情報２８ａを第３記憶部２８から受け取る。制御部２５は、第３記憶部２８から受け取った第３温泉情報２８ａとリモコン１２から受け取った温泉識別情報とに基づいて、温泉の音声に関する情報を決定する。
【０１１３】
図８に示すステップＳ３２では、温泉の音声が出力される。すなわち、図２に示す制御装置２０の制御部２５は、ステップＳ２１で決定された温泉の音声に関する情報に基づいて、音声出力装置１４を制御するための制御信号を生成し、音声出力装置１４へ渡す。音声出力装置１４は、温泉の音声に関する情報に基づいた制御信号を制御装置２０から受け取ると、制御信号に基づいて、温泉の音声を出力する。
【０１１４】
＜温泉システム１に関する特徴＞
（１）
ここでは、制御部２５が、浴槽１１に給湯される湯に供給される温泉成分の配合割合と湯温とを制御する。すなわち、制御部２５は、第１記憶部２６に記憶された第１温泉情報２６ａに基づいて、温泉成分の配合割合と湯温とを決定する。そして、制御部２５は、決定された配合割合の情報と湯温の情報とに基づいて、配合装置３０、連動開閉三方弁９５，９６および給湯機４０を制御するための制御信号を生成して、連動開閉三方弁９５，９６、電動弁３６ｄ〜３８ｄ、膨張弁４１ｄ（図４参照）及び連動開閉三方弁４０ｆ（図４参照）を制御する。
これにより、所定の配合割合で温泉成分を含む所定の湯温の湯を浴槽１１（図１参照）に提供することが可能となる。したがって、利用者は、温泉をリアルに体験することが可能になる。
【０１１５】
（２）
ここでは、第１入力部１２ａが、利用者から温泉識別情報の入力を受け付ける。制御部２５は、第１記憶部２６に記憶される第１温泉情報２６ａと利用者により入力された温泉識別情報とに基づいて、利用者により入力された温泉識別情報により識別される温泉の温泉成分の配合割合と湯温とを決定する。制御部２５は、決定された配合割合の情報と湯温の情報とに基づいて、浴槽１１に給湯される湯に供給される温泉成分の配合割合と湯温とを制御する。
このように、利用者により入力された温泉識別情報に基づいて温泉成分の配合割合と湯温とが決定されるため、利用者に利用者の好みの温泉を提供することが可能になる。
【０１１６】
（３）
ここでは、第２記憶部２７が、温泉の景色に関する情報と温泉識別情報とを対応付けた情報である第２温泉情報２７ａを記憶している。制御部２５は、第２記憶部２７に記憶された第２温泉情報２７ａと利用者により入力された温泉識別情報とに基づいて、温泉の景色に関する情報を決定する。表示装置１３は、制御部２５により決定された温泉の景色に関する情報に基づいて、表示画面１３ａに温泉の景色を表示する。
このように、表示画面１３ａに温泉の景色が表示されるため、利用者は、浴槽１１につかりながら温泉の景色を閲覧することにより、温泉をさらにリアルに体験することができる。
【０１１７】
（４）
ここでは、第３記憶部２８が、温泉の音声に関する情報と温泉識別情報とを対応付けた情報である第３温泉情報２８ａを記憶している。制御部２５は、第３記憶部２８に記憶された第３温泉情報２８ａと利用者により入力された温泉識別情報とに基づいて、温泉の音声に関する情報を決定する。音声出力装置１４は、制御部２５により決定された温泉の音声に関する情報に基づいて、スピーカー１４ａから温泉の音声を出力する。
このように、スピーカー１４ａから温泉の音声が出力されるため、利用者は、浴槽１１につかりながら温泉の音声を聞くことにより、温泉をさらにリアルに体験することができる。
【０１１８】
（５）
ここでは、連動開閉三方弁９５，９６と配合装置３０と水熱交換器４１ｃとが、給湯機４０と浴槽１１との間に設けられている。
したがって、所定の配合割合で温泉成分を含む所定の湯温の湯を浴槽１１に提供することが可能となる。
【０１１９】
＜第１実施形態の変形例＞
（Ａ）図２に示すように、リモコン１２は、第２入力部１２ｂをさらに備えていてもよい。この場合、利用者により、第２入力部１２ｂに温泉の効能の情報が入力される。制御部２５は、利用者により入力された温泉の効能の情報をリモコン１２から受け取ると、これに応じて、第１温泉情報２６ａを第１記憶部２６から受け取る。ここで、第１温泉情報２６ａは、図１０に示すように、効能欄２６５ａをさらに有することになる。制御部２５は、第１記憶部２６から受け取った第１温泉情報２６ａとリモコンから受け取った温泉の効能の情報とに基づいて、配合割合と湯温とを決定する。制御部２５は、決定された配合割合の情報と湯温の情報とに基づいて、配合割合と湯温とを制御する。これにより、利用者により入力された温泉の効能に対応する配合割合の情報と湯温の情報とに基づいて、温泉成分を含む湯を浴槽１１（図１参照）に提供することができる。
【０１２０】
この場合、図１に示す温泉システム１が温泉成分を含む湯を浴槽１１に提供する処理の流れが、図６に示すように、次の点で第１実施形態と異なる。なお、図６において、第１実施形態と同様の処理は、同じ記号で示し説明を省略する。
図６に示すステップＳ１１では、温泉の効能の情報が入力される。すなわち、利用者により、図２に示すリモコン１２の第２入力部１２ｂに温泉の効能の情報が入力される。第２入力部１２ｂは、温泉の効能の情報を制御装置２０へ渡す。
【０１２１】
図６に示すステップＳ１２では、配合割合と湯温とが決定される。すなわち、図２に示す制御装置２０の制御部２５は、ステップＳ１１で利用者により入力された温泉の効能の情報をリモコン１２から受け取ると、これに応じて、第１温泉情報２６ａを第１記憶部２６から受け取る。制御部２５は、第１記憶部２６から受け取った第１温泉情報２６ａとリモコン１２から受け取った温泉の効能の情報とに基づいて、配合割合と湯温とを決定する。
したがって、利用者は、利用者の好む効能を有する温泉をリアルに体験することが可能である。
【０１２２】
（Ｂ）図２に示す表示装置１３は、第１温泉情報２６ａをさらに表示してもよい。この場合、制御部２５は、利用者により入力された温泉識別情報をリモコン１２から受け取ると、これに応じて、その温泉識別情報に対応する第１温泉情報２６ａを表示装置１３に渡す。表示装置１３は、第１温泉情報２６ａをさらに表示する。したがって、利用者は、温泉についてのより詳細な情報を表示画面１３ａを介して閲覧することができるようになり、温泉をより楽しむことができる。利用者により入力される情報が、温泉識別情報ではなく温泉の効能の情報である場合や温泉識別情報および温泉の効能の情報の両方が入力される場合も同様である。
【０１２３】
図２に示す第１入力部１２ａには、表示画面１３ａに表示された第１温泉情報２６ａに基づいて、利用者により温泉識別情報がさらに入力されるようになっていてもよい。この場合、図１に示す温泉システム１が温泉の景色を表示する処理の流れは、図１４に示すようになる。なお、図１４において、図５に示す処理と同様の処理は、同じ記号で示し説明を省略する。
【０１２４】
図１４に示すステップＳ６１では、第１記憶部２６に記憶される第１温泉情報２６ａが表示画面１３ａに表示される。すなわち、図２に示す制御部２５は、リモコン１２から温泉識別情報を受け取ると、これに応じて、第１記憶部２６に記憶される第１温泉情報２６ａを表示装置１３に渡す。表示装置１３は、第１温泉情報２６ａを表示画面１３ａに表示する。
【０１２５】
図１４に示すステップＳ６２では、利用者により、温泉識別情報を変更すべきか否かが判断され、その判断結果が第１入力部１２ａに入力される。すなわち、利用者は、表示画面１３ａに表示された第１温泉情報２６ａに基づいて、温泉識別情報を変更すべきか否かを判断する。利用者は、温泉識別情報を変更すべきであると判断した場合、第１入力部１２ａにその旨を示す情報を入力する。この場合、フローは、ステップＳ１へ進められる。一方、利用者は、温泉識別情報を変更すべきでないと判断した場合、第１入力部１２ａにその旨を示す情報を入力する。この場合、フローは、ステップＳ２へ進められる。
【０１２６】
このように、利用者は、第１温泉情報２６ａに基づいて温泉を選択することができるため、利用者に利用者の好みをより反映した温泉を提供することができる。
また、図２に示す第１温泉情報２６ａは、配合割合の情報と湯温の情報と温泉識別情報とを対応付けた情報に、温泉の効能の情報、温泉にまつわる話の情報、温泉のお土産又は特産品の情報、温泉の付近の観光情報並びに温泉の付近の施設の割引情報又は優待情報の少なくとも１つをさらに対応付けた情報であってもよい。例えば、図１０に示すように、第１温泉情報２６ａが、効能欄２６５ａ、お土産欄２６６ａ及び観光情報欄２６７ａをさらに有していてもよい。効能欄２６５ａには、温泉の効能の情報が記憶される。お土産欄２６６ａには、温泉のお土産又は特産品の情報が記憶される。観光情報欄２６７ａには、温泉の付近の観光情報が記憶される。
この場合、利用者は、利用者により指定された温泉についてのより詳細な情報を表示画面１３ａを介して閲覧することができるようになり、温泉をリアルに体験しつつ、温泉をより楽しむことができる。
【０１２７】
（Ｃ）図２に示す第２記憶部２７が、第１対応付け情報２７ｂをさらに記憶していてもよい。ここで、第１対応付け情報２７ｂとは、景色情報と景色識別情報とを対応付けた情報である。景色情報は、利用者が選択可能な温泉以外の景色に関する情報である。景色識別情報は、景色を識別するための情報である。第１対応付け情報２７ｂは、図１５に示すように、主として、景色識別情報欄２７１ｂ及び景色情報欄２７２ｂを有する。景色識別情報欄２７１ｂには、景色識別情報が記憶される。ここで、景色識別情報とは、景色の名前を示す情報である。景色情報欄２７２ｂには、景色情報が記憶される。ここで、景色情報とは、利用者が選択可能な温泉以外の景色の画像情報である。
【０１２８】
第１対応付け情報２７ｂを参照することにより、景色識別情報により識別される景色に関する情報が決定される。例えば、「富士山」により識別される景色に関する情報は、画像情報Ｇｆと決定される。画像情報Ｇｆに基づいて表示画面１３ａに表示される画像は、例えば、銭湯などに描かれているものと同様の富士山の景色などである。
この場合、利用者により、第１入力部１２ａに景色識別情報が入力される。制御部２５は、利用者により入力された景色識別情報を第１入力部１２ａから受け取ると、第１対応付け情報２７ｂを第２記憶部２７から受け取る。制御部２５は、第２記憶部２７から受け取った第１対応付け情報２７ｂと第１入力部１２ａから受け取った景色識別情報とに基づいて、景色情報を決定する。表示装置１３は、決定された景色情報を制御部２５から受け取ると、その景色情報に基づいて、その景色情報により表される景色を表示する。
【０１２９】
図１に示す温泉システム１が利用者が選択可能な温泉以外の景色を表示する処理の流れを、図１６に示すフローチャートを用いて説明する。
図１６に示すステップＳ７１では、景色識別情報が入力される。すなわち、利用者により、図２に示すリモコン１２の第１入力部１２ａに景色識別情報が入力される。第１入力部１２ａは、景色識別情報を制御装置２０へ渡す。
【０１３０】
図１６に示すステップＳ７２では、景色情報が決定される。すなわち、制御部２５は、ステップＳ７１で利用者により入力された景色識別情報をリモコン１２から受け取ると、これに応じて、第１対応付け情報２７ｂを第２記憶部２７から受け取る。制御部２５は、第２記憶部２７から受け取った第１対応付け情報２７ｂとリモコン１２から受け取った景色識別情報とに基づいて、景色情報を決定する。
【０１３１】
図１６に示すステップＳ７３では、利用者が選択可能な温泉以外の景色が表示される。すなわち、図２に示す表示装置１３は、ステップＳ７２で決定された景色情報を受け取る。表示装置１３は、その景色情報に基づいて、表示画面１３ａにその景色情報により表される景色を表示する。
図１６に示すステップＳ７４では、利用者により、景色識別情報を変更すべきか否かが判断され、その判断結果が第１入力部１２ａに入力される。すなわち、利用者は、表示画面１３ａに表示された景色に基づいて、景色識別情報を変更すべきか否かを判断する。利用者は、景色識別情報を変更すべきであると判断した場合、第１入力部１２ａにその旨を示す情報を入力する。この場合、フローは、ステップＳ７１へ進められる。一方、利用者は、景色識別情報を変更すべきでないと判断した場合、第１入力部１２ａにその旨を示す情報を入力する。この場合、処理が終了する。
【０１３２】
このように、表示画面１３ａに利用者が選択可能な温泉以外の景色が表示されるため、利用者は、利用者の好みの景色を楽しみながら温泉を体験することが可能である。
（Ｄ）図１に示す温泉システム１は、浴槽１１が置かれた浴室１０を除湿する除湿器１５をさらに備えていてもよい。この場合、除湿器１５は、利用者により第１入力部１２ａ（図２参照）に露天風呂モードを選択するための情報が入力されると、入力された情報に基づいて浴室１０を除湿する。ここで、露天風呂モードとは、浴室１０を露天風呂のように演出する運転モードである。
【０１３３】
このように、利用者により露天風呂モードが選択されたことに基づいて浴室１０が除湿されるため、利用者は、露天風呂の温泉をリアルに体験することができる。なお、除湿器１５は、図１３に示すように、浴室１０を除湿することが可能な天井などに設置される。
また、図１に示す温泉システム１は、浴槽１１が置かれた浴室１０を加湿する加湿器１６を備えていてもよい。この場合、加湿器１６は、利用者により第１入力部１２ａ（図２参照）に屋内風呂モード、釜風呂モード及びスチームサウナ風呂モードのいずれかを選択するための情報が入力されると、入力された情報に基づいて浴室１０を加湿する。ここで、屋内風呂モードとは、浴室１０を屋内風呂のように演出する運転モードであり、釜風呂モードとは、浴室１０を釜風呂のように演出する運転モードであり、スチームサウナ風呂モードとは、浴室１０をスチームサウナ風呂のように演出する運転モードである。
【０１３４】
このように、利用者により屋内風呂モード、釜風呂モード及びスチームサウナ風呂モードのいずれかが選択されたことに基づいて浴室１０が加湿されるため、利用者は、屋内風呂、釜風呂及びスチームサウナ風呂の温泉をリアルに体験することができる。なお、加湿器１６は、図１３に示すように、浴室１０を加湿することが可能な側壁などに設置される。
【０１３５】
また、図１に示す温泉システム１は、浴槽１１が置かれた浴室１０を換気する換気装置１７をさらに備えていてもよい。この場合、換気装置１７は、利用者により第１入力部１２ａ（図２参照）に露天風呂モードを選択するための情報が入力されると、入力された情報に基づいて浴室１０を換気する。一方、換気装置１７は、利用者により第１入力部１２ａ（図２参照）に屋内風呂モード、釜風呂モード及びスチームサウナ風呂モードのいずれかを選択するための情報が入力されると、入力された情報に基づいて浴室１０の換気を停止する、あるいは浴室１０の換気量を低減する。
【０１３６】
このように、利用者により露天風呂モードが選択されたことに基づいて浴室１０が換気され、利用者により屋内風呂モード、釜風呂モード及びスチームサウナ風呂モードのいずれかが選択されたことに基づいて浴室１０の換気が停止される、あるいは浴室１０の換気量が低減されるため、利用者は、露天風呂、屋内風呂、釜風呂及びスチームサウナ風呂の温泉をリアルに体験することができる。なお、換気装置１７は、図１３に示すように、浴室１０を換気することが可能な天井などに設置される。
【０１３７】
また、図１に示す温泉システム１は、浴槽１１が置かれた浴室１０を照らす照明装置１８をさらに備えていてもよい。この場合、利用者により、第１入力部１２ａ（図２参照）に露天風呂モードを選択するための情報が入力されると、照明装置１８は、浴槽１１の湯の表面をスポット的に照らす。
このように、利用者により露天風呂モードが選択されたことに基づいて浴槽１１の湯の表面がスポット的に照らされるため、利用者は、月明かりをリアルに体験しながら、露天風呂の温泉をリアルに体験することができる。なお、照明装置１８は、図１３に示すように、浴槽１１の湯の表面をスポット的に照らすことが可能な天井などに設置される。
【０１３８】
図１に示す温泉システム１が浴室１０の環境を制御する処理の流れを、図９に示すフローチャートを用いて説明する。
図９に示すステップＳ４１では、運転モードを選択するための情報が入力される。すなわち、利用者により、図２に示すリモコン１２の第１入力部１２ａ（図２参照）に運転モードを選択するための情報が入力されると、第１入力部１２ａは、運転モードを選択するための情報を制御装置２０へ渡す。ここで、運転モードは、露天風呂モード、屋内風呂モード、釜風呂モード及びスチームサウナ風呂モードのいずれかである。
【０１３９】
図９に示すステップＳ４２では、運転モードが何であるかが判断される。すなわち、図２に示す制御装置２０の制御部２５は、ステップＳ４１で入力された運転モードを選択するための情報をリモコン１２から受け取り、利用者により選択された運転モードが何であるかを判断する。運転モードが露天風呂モードであると判断された場合、ステップＳ４３へ進められ、運転モードが屋内風呂モードであると判断された場合、ステップＳ４６へ進められ、運転モードが釜風呂モードであると判断された場合、ステップＳ４８へ進められ、運転モードがスチームサウナ風呂モードであると判断された場合、ステップＳ５１へ進められる。
【０１４０】
図９に示すステップＳ４３では、換気が行われる。すなわち、図２に示す制御装置２０の制御部２５は、換気動作を命令する制御信号を生成して換気装置１７へ渡す。換気装置１７は、制御信号を受け取ると、制御信号に基づいて浴室１０（図１参照）を換気する。
図９に示すステップＳ４４では、除湿が行われる。すなわち、図２に示す制御装置２０の制御部２５は、除湿動作を命令する制御信号を生成して除湿器１５へ渡す。除湿器１５は、制御信号を受け取ると、制御信号に基づいて浴室１０（図１参照）を除湿する。
【０１４１】
図９に示すステップＳ４５では、スポット照明が行われる。すなわち、図２に示す制御装置２０の制御部２５は、スポット照明動作を命令する制御信号を生成して照明装置１８へ渡す。照明装置１８は、制御信号を受け取ると、制御信号に基づいて浴槽１１の湯の表面をスポット的に照らす。
図９に示すステップＳ４６では、換気が停止する。すなわち、図２に示す制御装置２０の制御部２５は、換気動作の停止を命令する制御信号を生成して換気装置１７へ渡す。換気装置１７は、制御信号を受け取ると、制御信号に基づいて浴室１０（図１参照）の換気を停止させる。
【０１４２】
図９に示すステップＳ４７では、加湿が行われる。すなわち、図２に示す制御装置２０の制御部２５は、加湿動作を命令する制御信号を生成して加湿器１６へ渡す。加湿器１６は、制御信号を受け取ると、制御信号に基づいて浴室１０（図１参照）を加湿する。
図９に示すステップＳ４８では、換気が停止する。すなわち、図２に示す制御装置２０の制御部２５は、換気動作の停止を命令する制御信号を生成して換気装置１７へ渡す。換気装置１７は、制御信号を受け取ると、制御信号に基づいて浴室１０（図１参照）の換気を停止させる。
【０１４３】
図９に示すステップＳ４９では、加湿が行われる。すなわち、図２に示す制御装置２０の制御部２５は、加湿動作を命令する制御信号を生成して加湿器１６へ渡す。加湿器１６は、制御信号を受け取ると、制御信号に基づいて浴室１０（図１参照）を加湿する。
図９に示すステップＳ５１では、換気が停止する。すなわち、図２に示す制御装置２０の制御部２５は、換気動作の停止を命令する制御信号を生成して換気装置１７へ渡す。換気装置１７は、制御信号を受け取ると、制御信号に基づいて浴室１０（図１参照）の換気を停止させる。
【０１４４】
図９に示すステップＳ５２では、加湿が行われる。すなわち、図２に示す制御装置２０の制御部２５は、加湿動作を命令する制御信号を生成して加湿器１６へ渡す。加湿器１６は、制御信号を受け取ると、制御信号に基づいて浴室１０（図１参照）を加湿する。
（Ｅ）図２に示す第１入力部１２ａに入力される温泉識別情報は、温泉の名前を示す情報の代わりに、温泉のＩＤ番号のようなものであってもよい。図２に示す第１入力部１２ａに入力される景色識別情報は、景色の名前を示す情報の代わりに、景色のＩＤ番号のようなものであってもよい。図３に示す配合装置３０のカートリッジ３３〜３５の数は３つでなくてもよい。１つ又は２つであってもよいし、４つ以上であってもよい。換気装置１７は、図９に示すステップＳ４１で運転モードを選択するための情報が入力される前は、通常のモードで換気を行っていてもよい。ステップＳ４３では、通常のモードよりも浴室１０（図１参照）の換気量が増加されてもよい。ステップＳ４６では、通常のモードよりも浴室１０（図１参照）の換気量が低減されてもよい。ステップＳ４８では、通常のモードよりも浴室１０（図１参照）の換気量が低減されてもよい。ステップＳ５１では、通常のモードよりも浴室１０（図１参照）の換気量が低減されてもよい。
【０１４５】
（Ｆ）第１実施形態の変形例（Ｄ）では、図９に示すステップＳ４１において運転モードが利用者により入力されているが、運転モードの選択は温泉システム１により自動的に行われてもよい。
この場合、第１温泉情報２６ａに運転モード欄が設けられ、例えば、Ａ温泉は、露天風呂であり、Ｂ温泉は、釜風呂であるというように、温泉ごとに対応する運転モードが１つ特定されるようになっていてもよい。この場合、図９においてステップＳ４１が省略され、ステップＳ４２において利用者により入力された温泉識別情報に基づいて自動的に運転モードが決定される。その他のステップＳ４３〜Ｓ４９，Ｓ５１，Ｓ５２については、同様である。
【０１４６】
［第２実施形態］
本発明の第２実施形態にかかる温泉システム１００を図１７に示す。また、温泉システム１００の構成要素の構成図を図１８〜図２０に示す。図１７〜図２０において、図１〜図４の温泉システム１と同様の構成要素は同じ番号で示してある。
図１７に示す温泉システム１００は、基本的な構造は第１実施形態と同様であるが、主として、集中管理センター１５０、第１通知装置１６０、第２通知装置１７０及び第３通知装置１８０をさらに備えている点で第１実施形態と異なる。制御装置１２０は、第１ネットワーク１０１、第２ネットワーク１０２、第４ネットワーク１０４及び第６ネットワーク１０６を介して、それぞれ集中管理センター１５０、第１通知装置１６０、第２通知装置１７０及び第３通知装置１８０に接続されている。集中管理センター１５０は、第３ネットワーク１０３、第５ネットワーク１０５及び第７ネットワーク１０７を介して、それぞれ第１通知装置１６０、第２通知装置１７０及び第３通知装置１８０に接続されている。以下、第１実施形態との差異を中心に説明する。
【０１４７】
＜制御装置１２０の構成＞
図１７に示す制御装置１２０は、図１８に示すように、第１送受信部１２１、第３送受信部１２２、第４送受信部１２３、第５送受信部１２４及び第５記憶部１２９をさらに備えている点で第１実施形態と異なる。
第１送受信部１２１は、第１ネットワーク１０１を介して集中管理センター１５０に、第３送受信部１２２は、第２ネットワーク１０２を介して第１通知装置１６０に、第４送受信部１２３は、第４ネットワーク１０４を介して第２通知装置１７０に、第５送受信部１２４は、第６ネットワーク１０６を介して第３通知装置１８０に接続されている。
【０１４８】
第５記憶部１２９には、主として、浴室１０の構成に関する情報である浴室構成情報１２９ａが記憶されている。浴室構成情報１２９ａには、浴室１０を識別するための浴室識別情報、浴槽１１に温泉成分を提供するカートリッジ１３３〜１３５の種類に関する情報、ならびに浴室１０における表示装置１３、音声出力装置１４、除湿器１５、加湿器１６、換気装置１７及び照明装置１８の有無に関する情報及びその種類に関する情報などが含まれる。
【０１４９】
＜配合装置１３０の構成＞
配合装置１３０のカートリッジ１３３〜１３５は、図２０に示すように、それぞれ第４記憶部１３３ｂ〜１３５ｂを有している。第４記憶部１３３ｂ〜１３５ｂには、それぞれカートリッジ１３３〜１３５に含まれる温泉成分の残量に関する情報が記憶されている。
＜集中管理センター１５０の構成＞
図１７に示す集中管理センター１５０は、図１９に示すように、第２送受信部１５１、第６送受信部１５２、第７送受信部１５３、第８送受信部１５４、制御部１５５、第１記憶部１５６、第２記憶部１５７及び第３記憶部１５８を備える。
【０１５０】
第１記憶部１５６には、主として、第１温泉情報１５６ａが記憶されている。第１温泉情報１５６ａは、第１温泉情報２６ａ（図１０参照）と同様の情報である。第２記憶部１５７には、主として、第２温泉情報１５７ａと第１対応付け情報１５７ｂとが記憶されている。第２温泉情報１５７ａは、第２温泉情報２７ａ（図１１参照）同様の情報である。第１対応付け情報１５７ｂは、第１対応付け情報２７ｂ（図１５参照）と同様の情報である。第３記憶部１５８には、主として、第３温泉情報１５８ａが記憶されている。第３温泉情報１５８ａは、第３温泉情報２８ａ（図１２参照）と同様の情報である。
第２送受信部１５１は、第１ネットワーク１０１を介して制御装置１２０に、第６送受信部１５２は、第３ネットワーク１０３を介して第１通知装置１６０に、第７送受信部１５３は、第５ネットワーク１０５を介して第２通知装置１７０に、第８送受信部１５４は、第７ネットワーク１０７を介して第３通知装置１８０に接続されている。
【０１５１】
＜温泉システム１００が温泉成分を含む湯を浴槽１１に提供する処理の流れ＞
図１７に示す温泉システム１００が温泉成分を含む湯を浴槽１１に提供する処理の流れは、図２１に示すようになる。なお、図２１において、第１実施形態と同様の処理は、同じ記号で示し説明を簡略化ないし省略する。
【０１５２】
図２１に示すステップＳ１３１では、制御装置１２０から集中管理センター１５０へ浴室構成情報１２９ａが送信される。すなわち、制御装置１２０の第１送受信部１２１は、浴室構成情報１２９ａを第５記憶部１２９から受け取り、第１ネットワーク１０１経由で集中管理センター１５０へ送信する。
図２１に示すステップＳ１３２では、可能温泉識別情報が生成される。すなわち、集中管理センター１５０の第２送受信部１５１は、浴室構成情報１２９ａを第１ネットワーク１０１経由で制御装置１２０から受信する。制御部１５５は、浴室構成情報１２９ａを第２送受信部１５１から受け取り、浴室構成情報１２９ａに基づいて可能温泉識別情報を生成する。ここで、可能温泉識別情報とは、浴室１０に提供することが可能な温泉の環境を識別するための情報である。
【０１５３】
図２１に示すステップＳ１３３では、集中管理センター１５０から制御装置１２０へ可能温泉識別情報が送信される。すなわち、集中管理センター１５０の第２送受信部１５１は、ステップＳ１３２で生成された可能温泉識別情報を制御部１５５から受け取り、第１ネットワーク１０１経由で制御装置１２０へ送信する。
図２１に示すステップＳ１３４では、表示画面１３ａに可能温泉識別情報が表示される。すなわち、制御装置１２０の第１送受信部１２１は、可能温泉識別情報を第１ネットワーク１０１経由で集中管理センター１５０から受信する。制御部１２５は、可能温泉識別情報を第１送受信部１２１から受け取り表示装置１３に渡し、表示装置１３は、可能温泉識別情報を制御部１２５から受け取り表示画面１３ａに表示する。
【０１５４】
このように、集中管理センター１５０において利用者が選択可能な温泉に関する情報を含む可能温泉識別情報が生成され、その可能温泉識別情報が集中管理センター１５０から制御装置１２０へ送信されて表示画面１３ａに表示される。したがって、選択可能な温泉の種類等を利用者側の機器で管理する必要がないため、利用者の利便性が向上する。
図２１に示すステップＳ１では、温泉識別情報が入力される。すなわち、利用者により、リモコン１２の第１入力部１２ａに温泉識別情報が入力される。このとき、利用者は、ステップＳ１３４において表示画面１３ａに表示された可能温泉識別情報に基づいて１つの温泉を選択し、その温泉を識別するための温泉識別情報を入力することになる。第１入力部１２ａは、温泉識別情報を制御部１２５へ渡す。
【０１５５】
図２１に示すステップＳ４１では、運転モードを選択するための情報が入力される。すなわち、利用者により、リモコン１２の第１入力部１２ａに運転モードを選択するための情報が入力される。このとき、利用者は、ステップＳ１３４において表示画面１３ａに表示された可能温泉識別情報に基づいて１つの運転モードを選択し、その運転モードを選択するための情報を入力することになる。第１入力部１２ａは、運転モードを選択するための情報を制御部１２５へ渡す。
【０１５６】
図２１に示すステップＳ１３５では、制御装置１２０から集中管理センター１５０へ、ステップＳ１で入力された温泉識別情報とステップＳ４１で入力された運転モードを選択するための情報とが送信される。すなわち、制御装置１２０の第１送受信部１２１は、温泉識別情報と運転モードを選択するための情報とを制御部１２５から受け取り、第１ネットワーク１０１経由で集中管理センター１５０へ送信する。
【０１５７】
図２１に示すステップＳ１３６では、温泉成分の配合割合、湯温、温泉の景色に関する情報、温泉の音声に関する情報、ならびに浴室の加湿、除湿、換気及びスポット照明に関する情報（以下、配合割合等の情報）が決定される。すなわち、集中管理センター１５０の第２送受信部１５１は、ステップＳ１で入力された温泉識別情報とステップＳ４１で入力された運転モードを選択するための情報とを第１ネットワーク１０１経由で制御装置１２０から受信する。制御部１５５は、第１記憶部１５６、第２記憶部１５７及び第３記憶部１５８から第１温泉情報１５６ａ、第２温泉情報１５７ａ及び第３温泉情報１５８ａを受け取り、これらの情報に基づいて配合割合等の情報を決定する。
【０１５８】
図２１に示すステップＳ１３７では、集中管理センター１５０から制御装置１２０へ配合割合等の情報が送信される。すなわち、集中管理センター１５０の第２送受信部１５１は、ステップＳ１３６で決定された配合割合等の情報を第１ネットワーク１０１経由で制御装置１２０へ送信する。制御装置１２０の第１送受信部１２１は、配合割合等の情報を第１ネットワーク１０１経由で集中管理センター１５０から受信し、制御部１２５は、配合割合等の情報を第１送受信部１２１から受け取る。
【０１５９】
図２１に示すステップＳ３，Ｓ４，Ｓ２２，Ｓ３２，Ｓ４３〜Ｓ４５，Ｓ４７では、ステップＳ１３７で制御装置１２０により受信された配合割合等の情報に基づいて、配合装置３０、給湯機４０、表示装置１３、音声出力装置１４、除湿器１５、加湿器１６、換気装置１７及び照明装置１８を制御するための制御信号が生成される。
このように、第１温泉情報１５６ａ、第２温泉情報１５７ａ及び第３温泉情報１５８ａが集中管理センター１５０側で管理され、これらの情報１５６ａ〜１５８ａに基づいて配合割合等の情報が決定されるため、配合割合等の情報の更新が容易である。
【０１６０】
＜利用者がカートリッジ１３３〜１３５を購入する際の処理の流れ＞
図１７に示す温泉システム１００において、利用者がカートリッジ１３３〜１３５を購入する際の処理の流れは、図２２に示すようになり、図２１に示すステップＳ１３５の後（図２１の（１））から開始する。
図２２に示すステップＳ１４１では、制御装置１２０から集中管理センター１５０へ、カートリッジ１３３〜１３５に含まれる温泉成分の残量に関する情報（以下、残量情報）が送信される。すなわち、第１送受信部１２１は、残量情報を第４記憶部１３３ｂ〜１３５ｂから受け取り、第１ネットワーク１０１経由で集中管理センター１５０へ送信する。集中管理センター１５０の第２送受信部１５１は、残量情報を第１ネットワーク１０１経由で制御装置１２０から受信する。制御部１５５は、残量情報を第２送受信部１５１から受け取る。
【０１６１】
図２２に示すステップＳ１４２では、カートリッジ１３３〜１３５が交換時期に達したか否かが判断される。すなわち、集中管理センター１５０の制御部１５５は、ステップＳ１４１で受け取った残量情報に基づいてカートリッジ１３３〜１３５の交換時期を特定するとともに、タイマー（図示せず）を参照して現在時刻の情報を取得する。そして、制御部１５５は、カートリッジ１３３〜１３５の交換時期の情報と現在時刻の情報とを比較して、カートリッジ１３３〜１３５が交換時期に達しているか否かを判断する。交換時期に達していると判断された場合、フローはステップＳ１４３へ進められ、交換時期に達していないと判断された場合、フローは終了する。
【０１６２】
図２２に示すステップＳ１４３では、集中管理センター１５０から制御装置１２０へカートリッジ購入案内情報が送信される。すなわち、集中管理センター１５０の制御部１５５は、カートリッジ購入案内情報を生成する。ここで、カートリッジ購入案内情報とは、ステップＳ１４２で交換時期に達していると判断されたカートリッジについての購入案内に関する情報である。第２送受信部１５１は、カートリッジ購入案内情報を制御部１５５から受け取り、第１ネットワーク１０１経由で制御装置１２０へ送信する。
【０１６３】
図２２に示すステップＳ１４４では、表示画面１３ａにカートリッジ購入案内情報が表示される。すなわち、制御装置１２０の第１送受信部１２１は、カートリッジ購入案内情報を第１ネットワーク１０１経由で集中管理センター１５０から受信する。制御部１２５は、カートリッジ購入案内情報を第１送受信部１２１から受け取り表示装置１３に渡し、表示装置１３は、カートリッジ購入案内情報を制御部１２５から受け取り表示画面１３ａに表示する。
【０１６４】
このように、集中管理センター１５０から制御装置１２０へカートリッジ購入案内情報が送信されるため、利用者がカートリッジ１３３〜１３５の交換時期を管理する負担が低減されることになる。また、利用者が浴槽１１につかりながら閲覧することができる表示画面１３ａにカートリッジ購入案内情報が表示されるため、利用者は、温泉をリアルに体験しながら、カートリッジ１３３〜１３５を購入するか否かを判断することができる。
【０１６５】
図２２に示すステップＳ１４５では、利用者により、カートリッジ１３３〜１３５を購入すべきか否かが判断され、その判断結果が第１入力部１２ａに入力される。すなわち、利用者は、表示画面１３ａに表示されたカートリッジ購入案内情報に基づいて、カートリッジ１３３〜１３５を購入すべきか否かを判断する。利用者は、カートリッジ１３３〜１３５の少なくとも１つを購入すべきであると判断した場合、第１入力部１２ａにカートリッジ購入要望情報を入力する。ここで、カートリッジ購入要望情報とは、カートリッジ１３３〜１３５の少なくとも１つの購入の要望を示す情報である。第１入力部１２ａは、制御部１２５にカートリッジ購入要望情報を渡す。この場合、フローはステップＳ１４６へ進められる。一方、利用者は、カートリッジを購入すべきでないと判断した場合、第１入力部１２ａにその旨を示す情報を入力する。この場合、フローはここで終了する。
【０１６６】
図２２に示すステップＳ１４６では、制御装置１２０から集中管理センター１５０へカートリッジ購入要望情報が送信される。すなわち、制御装置１２０の第１送受信部１２１は、カートリッジ購入要望情報を制御部１２５から受け取り、第１ネットワーク１０１経由で集中管理センター１５０へ送信する。集中管理センター１５０の第２送受信部１５１は、カートリッジ購入要望情報を第１ネットワーク１０１経由で制御装置１２０から受信する。
【０１６７】
図２２に示すステップＳ１４７では、第２対応付け情報が生成される。すなわち、集中管理センター１５０の制御部１５５は、カートリッジ購入要望情報と浴室構成情報１２９ａに含まれる浴室識別情報とに基づいて、第１購入ポイントを浴室１０毎に加算し、第２対応付け情報を生成する。ここで、第２対応付け情報とは、第１購入ポイントと浴室構成情報１２９ａに含まれる浴室識別情報とを対応付けた情報である。第１購入ポイントとは、カートリッジ１３３〜１３５等の購入により浴室１０毎に加算されるポイントであって、その累計によってその浴室１０の利用者に各種サービスを提供するためのものである。
【０１６８】
図２２に示すステップＳ１４８では、集中管理センター１５０から第１通知装置１６０へカートリッジ購入要望情報と第２対応付け情報とが送信される。すなわち、集中管理センター１５０の第６送受信部１５２は、カートリッジ購入要望情報と第２対応付け情報とを制御部１５５から受け取り、第３ネットワーク１０３経由で第１通知装置１６０へ送信する。また、このとき、集中管理センター１５０は、カートリッジの購入を要望する利用者を識別するための利用者識別情報を第１通知装置１６０へ送信する。第１通知装置１６０は、カートリッジ購入要望情報と第２対応付け情報と利用者識別情報とを第３ネットワーク１０３経由で集中管理センター１５０から受信する。
【０１６９】
図２２に示すステップＳ１４９では、第１通知装置１６０から第１提供者へカートリッジ購入要望情報と第２対応付け情報と利用者識別情報とが通知される。
図２２に示すステップＳ１５０では、第１提供者は、利用者識別情報によりカートリッジの購入を要望する利用者を特定し、その利用者にカートリッジ購入要望情報に応じたカートリッジを発送するとともに、その利用者に第２ネットワーク１０２経由でオンライン請求書を送信する。
【０１７０】
図２２に示すステップＳ１５１では、ステップＳ１５０で発送されたカートリッジを受け取った利用者は、ステップＳ１５０で送信されたオンライン請求書を確認し、クレジットカード決済などの所定の決済方法でカートリッジ代金の支払いをする。
このように、温泉システム１００は、カートリッジが交換時期に達したことを利用者に知らせることから、実際に利用者がカートリッジを購入して支払いを済ませるまでの一連の処理をサポートする。これにより、温泉システム１００のメンテナンスが容易になり、利用者による温泉システム１００の継続的な利用を促すことができる。
【０１７１】
＜利用者がお土産等を購入する際の処理の流れ＞
図１７に示す温泉システム１００において、利用者がお土産等を購入する際の処理の流れは、図２３に示すようになり、図２１に示すステップＳ１３５の後（図２１の（１））から開始する。
図２３に示すステップＳ１６１では、お土産等購入案内情報が生成される。すなわち、集中管理センター１５０の制御部１５５は、温泉識別情報に基づいて、お土産等購入案内情報を生成する。ここで、お土産等購入案内情報とは、温泉識別情報により識別される温泉のお土産又は特産品の購入案内に関する情報である。
【０１７２】
図２３に示すステップＳ１６２では、集中管理センター１５０から制御装置１２０へお土産等購入案内情報が送信される。すなわち、集中管理センター１５０の第２送受信部１５１は、ステップＳ１６１で生成されたお土産等購入案内情報を制御部１５５から受け取り、第１ネットワーク１０１経由で制御装置１２０へ送信する。
図２３に示すステップＳ１６３では、表示画面１３ａにお土産等購入案内情報が表示される。すなわち、制御装置１２０の第１送受信部１２１は、お土産等購入案内情報を第１ネットワーク１０１経由で集中管理センター１５０から受信する。制御部１２５は、お土産等購入案内情報を第１送受信部１２１から受け取り表示装置１３に渡し、表示装置１３は、お土産等購入案内情報を制御部１２５から受け取り表示画面１３ａに表示する。
【０１７３】
図２３に示すステップＳ１６４では、利用者により、お土産又は特産品を購入するか否かが判断され、その判断結果が第１入力部１２ａに入力される。すなわち、利用者は、表示画面１３ａに表示されたお土産等購入案内情報に基づいて、お土産又は特産品を購入するか否かを判断する。利用者は、お土産又は特産品を購入すると判断した場合、第１入力部１２ａにお土産等購入要望情報を入力する。ここで、お土産等購入要望情報とは、お土産又は特産品の購入の要望を示す情報である。この場合、フローはステップＳ１６５へ進められる。一方、利用者は、お土産又は特産品を購入しないと判断した場合、第１入力部１２ａにその旨を示す情報を入力する。この場合、フローはここで終了する。
【０１７４】
図２３に示すステップＳ１６５では、制御装置１２０から集中管理センター１５０へお土産等購入要望情報が送信される。すなわち、制御装置１２０の第１送受信部１２１は、お土産等購入要望情報を制御部１２５から受け取り、第１ネットワーク１０１経由で集中管理センター１５０へ送信する。集中管理センター１５０の第２送受信部１５１は、お土産等購入要望情報を第１ネットワーク１０１経由で制御装置１２０から受信する。
【０１７５】
図２３に示すステップＳ１６６では、第３対応付け情報が生成される。すなわち、集中管理センター１５０の制御部１５５は、お土産等購入要望情報と浴室構成情報１２９ａに含まれる浴室識別情報とに基づいて、第２購入ポイントを浴室１０毎に加算し、第３対応付け情報を生成する。ここで、第３対応付け情報とは、第２購入ポイントと浴室構成情報１２９ａに含まれる浴室識別情報とを対応付けた情報である。第２購入ポイントとは、温泉のお土産又は特産品等の購入により浴室１０毎に加算されるポイントであって、その累計によってその浴室１０の利用者に各種サービスを提供するためのものである。
【０１７６】
図２３に示すステップＳ１６７では、集中管理センター１５０から第２通知装置１７０へお土産等購入要望情報と第３対応付け情報とが送信される。すなわち、集中管理センター１５０の第７送受信部１５３は、お土産等購入要望情報と第３対応付け情報とを制御部１５５から受け取り、第５ネットワーク１０５経由で第２通知装置１７０へ送信する。また、このとき、集中管理センター１５０は、温泉のお土産又は特産品の購入を要望する利用者を識別するための利用者識別情報を第２通知装置１７０へ送信する。第２通知装置１７０は、お土産等購入要望情報と第３対応付け情報と利用者識別情報とを第５ネットワーク１０５経由で集中管理センター１５０から受信する。
【０１７７】
図２３に示すステップＳ１６８では、第２通知装置１７０から第２提供者へお土産等購入要望情報と第３対応付け情報と利用者識別情報とが通知される。
図２３に示すステップＳ１６９では、第２提供者は、利用者識別情報により温泉のお土産又は特産品の購入を要望する利用者を特定し、その利用者にお土産等購入要望情報に応じた温泉のお土産又は特産品を発送するとともに、その利用者に第４ネットワーク１０４経由でオンライン請求書を送信する。
【０１７８】
図２３に示すステップＳ１７０では、ステップＳ１６９で発送された温泉のお土産又は特産品を受け取った利用者は、ステップＳ１６９で送信されたオンライン請求書を確認し、クレジットカード決済などの所定の決済方法で温泉のお土産又は特産品の代金の支払いをする。
このように、温泉システム１００は、温泉のお土産又は特産品の案内から、実際に利用者が温泉のお土産又は特産品を購入して支払いを済ませるまでの一連の処理をサポートする。これにより、利用者は、温泉システム１００により提供される温泉の環境を楽しみながら、さらに温泉のお土産又は特産品を容易に購入することができる。
【０１７９】
また、このとき、集中管理センター１５０は、第２通知装置１７０へ送信したお土産等購入要望情報を蓄積しておく。そして、定期的に、蓄積されたお土産等購入要望情報に基づいて、利用者からのお土産等購入要望情報を提供したことにより第２提供者が売り上げた総売上金額を計算する。集中管理センター１５０は、集中管理センター１５０の所有者等と第２提供者との間に契約により予め定められた係数を総売上金額に乗じた金額を第２提供者へ請求する。このように、集中管理センター１５０は、利用者に好みの温泉の環境を提供するだけでなく、温泉を提供するための施設を有効利用して温泉のお土産や特産品などの販売や広告を行うことにより、温泉のお土産や特産品等を販売する企業等からバックマージンを受け取ることができる。
【０１８０】
＜利用者が温泉の付近への旅行計画について契約する際の処理の流れ＞
図１７に示す温泉システム１００において、利用者が温泉の付近への旅行計画について契約する際の処理の流れは、図２４に示すようになり、図２１に示すステップＳ１３５の後（図２１の（１））から開始する。
図２４に示すステップＳ１７１では、旅行案内情報が生成される。すなわち、集中管理センター１５０の制御部１５５は、温泉識別情報に基づいて、旅行案内情報を生成する。ここで、旅行案内情報とは、温泉識別情報により識別される温泉の付近への旅行計画の案内に関する情報である。
【０１８１】
図２４に示すステップＳ１７２では、集中管理センター１５０から制御装置１２０へ旅行案内情報が送信される。すなわち、集中管理センター１５０の第２送受信部１５１は、ステップＳ１７１で生成された旅行案内情報を制御部１５５から受け取り、第１ネットワーク１０１経由で制御装置１２０へ送信する。
図２４に示すステップＳ１７３では、表示画面１３ａに旅行案内情報が表示される。すなわち、制御装置１２０の第１送受信部１２１は、旅行案内情報を第１ネットワーク１０１経由で集中管理センター１５０から受信する。制御部１２５は、旅行案内情報を第１送受信部１２１から受け取り表示装置１３に渡し、表示装置１３は、旅行案内情報を制御部１２５から受け取り表示画面１３ａに表示する。
【０１８２】
図２４に示すステップＳ１７４では、利用者により、旅行計画について契約するか否かが判断され、その判断結果が第１入力部１２ａに入力される。すなわち、利用者は、表示画面１３ａに表示された旅行案内情報に基づいて、旅行計画について契約するか否かを判断する。利用者は、旅行計画について契約すると判断した場合、第１入力部１２ａに契約要望情報を入力する。ここで、契約要望情報とは、旅行計画について契約する旨の要望を示す情報である。この場合、フローはステップＳ１７５へ進められる。一方、利用者は、旅行計画について契約すべきでないと判断した場合、第１入力部１２ａにその旨を示す情報を入力する。この場合、フローはここで終了する。
【０１８３】
図２４に示すステップＳ１７５では、制御装置１２０から集中管理センター１５０へ契約要望情報が送信される。すなわち、制御装置１２０の第１送受信部１２１は、契約要望情報を制御部１２５から受け取り、第１ネットワーク１０１経由で集中管理センター１５０へ送信する。集中管理センター１５０の第２送受信部１５１は、契約要望情報を第１ネットワーク１０１経由で制御装置１２０から受信する。
【０１８４】
図２４に示すステップＳ１７６では、第４対応付け情報が生成される。すなわち、集中管理センター１５０の制御部１５５は、契約要望情報と浴室構成情報１２９ａに含まれる浴室識別情報とに基づいて、契約ポイントを浴室１０毎に加算し、第４対応付け情報を生成する。ここで、第４対応付け情報とは、契約ポイントと浴室構成情報１２９ａに含まれる浴室識別情報とを対応付けた情報である。契約ポイントとは、旅行計画についての契約により浴室１０毎に加算されるポイントであって、その累計によってその浴室１０の利用者に各種サービスを提供するためのものである。
【０１８５】
図２４に示すステップＳ１７７では、集中管理センター１５０から第３通知装置１８０へ契約要望情報と第４対応付け情報とが送信される。すなわち、集中管理センター１５０の第８送受信部１５４は、契約要望情報と第４対応付け情報とを制御部１５５から受け取り、第７ネットワーク１０７経由で第３通知装置１８０へ送信する。また、このとき、集中管理センター１５０は、旅行計画についての契約を要望する利用者を識別するための利用者識別情報を第３通知装置１８０へ送信する。第３通知装置１８０は、契約要望情報と第４対応付け情報と利用者識別情報とを第７ネットワーク１０７経由で集中管理センター１５０から受信する。
【０１８６】
図２４に示すステップＳ１７８では、第３通知装置１８０から第３提供者へ契約要望情報と第４対応付け情報と利用者識別情報とが通知される。
図２４に示すステップＳ１７９では、第３提供者は、利用者識別情報により旅行計画についての契約を要望する利用者を特定し、その利用者に契約要望情報に応じた旅行計画に必要なチケット等を発送するとともに、その利用者に第６ネットワーク１０６経由でオンライン請求書を送信する。
【０１８７】
図２４に示すステップＳ１８０では、ステップＳ１７９で発送された旅行計画に必要なチケット等を受け取った利用者は、ステップＳ１７９で送信されたオンライン請求書を確認し、クレジットカード決済などの所定の決済方法で旅行計画の代金の支払いをする。
このように、温泉システム１００は、温泉の付近への旅行計画の案内から、実際に利用者が旅行計画についての契約をして支払いを済ませるまでの一連の処理をサポートする。これにより、利用者は、温泉システム１００により提供される温泉の環境を楽しみながら、さらに温泉の付近への旅行を容易に計画することができる。
【０１８８】
また、このとき、集中管理センター１５０は、第３通知装置１８０へ送信した契約要望情報を蓄積しておく。そして、定期的に、蓄積された契約要望情報に基づいて、利用者からの契約要望情報を提供したことにより第３提供者が売り上げた総売上金額を計算する。集中管理センター１５０は、集中管理センター１５０の所有者等と第３提供者との間に契約により予め定められた係数を総売上金額に乗じた金額を第３提供者へ請求する。このように、集中管理センター１５０は、利用者に好みの温泉の環境を提供するだけでなく、温泉を提供するための施設を有効利用して温泉の付近への旅行計画などについての広告を行うことにより、旅行計画を提案する旅行代理店等からバックマージンを受け取ることができる。
【０１８９】
＜温泉システム１００に関する特徴＞
第１温泉情報２６ａに基づいて配合割合と湯温とを制御する点は、第１実施形態と同様である。したがって、このような温泉システム１００によっても、温泉をリアルに体験することが可能である。
【０１９０】
＜第２実施形態の変形例＞
（Ａ）集中管理センター１５０の第２送受信部１５１が、可能温泉識別情報に基づいて、可能温泉識別情報に対応する第１温泉情報１５６ａを第１ネットワーク１０１経由で制御装置１２０へ送信してもよい。
この場合、制御装置１２０の第１送受信部１２１は、可能温泉識別情報に対応する第１温泉情報１５６ａを第１ネットワーク１０１経由で集中管理センター１５０から受信する。制御部１２５は、可能温泉識別情報に対応する第１温泉情報１５６ａを第１送受信部１２１から受け取る。表示装置１３は、可能温泉識別情報に対応する第１温泉情報１５６ａを制御部１２５から受け取り、表示画面１３ａに表示する。
したがって、可能温泉識別情報に対応する第１温泉情報１５６ａが表示画面１３ａにさらに表示されるので、選択可能な温泉についての第１温泉情報１５６ａを利用者が把握することができる。
【０１９１】
（Ｂ）カートリッジ１３３〜１３５の第４記憶部１３３ｂ〜１３５ｂには、それぞれ残量情報に代えて又は加えて、成分源情報が記憶されていてもよい。第４記憶部１３３ｂ〜１３５ｂに記憶される成分源情報は、それぞれ、温泉成分源３３ａ，３４ａ，３５ａの製造年月日などの製造時期を示す情報、温泉成分源３３ａ，３４ａ，３５ａの使用開始時期を示す情報及び温泉成分源３３ａ，３４ａ，３５ａの使用期限を示す情報の少なくとも１つを含んでもよい。
この場合、図２２に示すステップＳ１４１では、制御装置１２０から集中管理センター１５０へ残量情報に代えて又は加えて成分源情報が送信され、図２２に示すステップＳ１４２では、成分源情報に基づいてカートリッジ１３３〜１３５の交換時期が特定されてもよい。
【０１９２】
（Ｃ）集中管理センター１５０の制御部１５５が、第１購入ポイントに基づいて割引率又は割引金額を算出してもよい。
【０１９３】
この場合、図２２に示すステップＳ１４８では、集中管理センター１５０から第１通知装置１６０へ第２対応付け情報に代えて又は加えて第５対応付け情報が送信されてもよい。ここで、第５対応付け情報とは、制御部１５５により生成される情報であって、第１購入ポイントに基づいて算出される割引率又は割引金額と浴室構成情報１２９ａに含まれる浴室識別情報とを対応付けた情報である。
したがって、割引率又は割引金額が集中管理センター１５０から第１通知装置１６０へ送信されるので、第１提供者が割引率又は割引金額を算出する負担を低減することが可能である。
【０１９４】
（Ｄ）集中管理センター１５０の制御部１５５が、第２購入ポイントに基づいて割引率又は割引金額を算出してもよい。
【０１９５】
この場合、図２３に示すステップＳ１６７では、集中管理センター１５０から第２通知装置１７０へ第３対応付け情報に代えて又は加えて第６対応付け情報が送信されてもよい。ここで、第６対応付け情報とは、制御部１５５により生成される情報であって、第２購入ポイントに基づいて算出される割引率又は割引金額と浴室構成情報１２９ａに含まれる浴室識別情報とを対応付けた情報である。
したがって、割引率又は割引金額が集中管理センター１５０から第２通知装置１７０へ送信されるので、第２提供者が割引率又は割引金額を算出する負担を低減することが可能である。
【０１９６】
（Ｅ）集中管理センター１５０の制御部１５５が、契約ポイントに基づいて割引率又は割引金額を算出してもよい。
【０１９７】
この場合、図２４に示すステップＳ１７７では、集中管理センター１５０から第３通知装置１８０へ第４対応付け情報に代えて又は加えて第７対応付け情報が送信されてもよい。ここで、第７対応付け情報とは、制御部１５５により生成される情報であって、契約ポイントに基づいて算出される割引率又は割引金額と浴室構成情報１２９ａに含まれる浴室識別情報とを対応付けた情報である。
したがって、割引率又は割引金額が集中管理センター１５０から第３通知装置１８０へ送信されるので、第２提供者が割引率又は割引金額を算出する負担を低減することが可能である。
【０１９８】
（Ｆ）温泉システム１００は、図１７に示すように、割引券等出力装置１９０をさらに備えていてもよい。この場合、利用者により、第１入力部１２ａに割引等要望情報が入力され、割引券等出力装置１９０から割引券又は優待券が出力される。ここで、割引等要望情報とは、利用者がカートリッジの購入時、お土産等の購入時、又は旅行計画の契約時に割引等を受けるための割引券や優待券の提供などを求めるための情報である。
【０１９９】
温泉システム１００が割引券又は優待券を出力する処理の流れを、図２５に示すフローチャートを用いて説明する。なお、以下の説明においては、旅行計画の契約時に割引等を受ける場合を例に説明するが、カートリッジ購入時又はお土産等の購入時に割引等を受ける場合については、第３通知装置１８０を第１通知装置１６０又は第２通知装置１７０と、第７ネットワーク１０７を第３ネットワーク１０３又は第５ネットワーク１０５と、第８送受信部１５４を第６送受信部１５２又は第７送受信部１５３と、第６ネットワーク１０６を第２ネットワーク１０２又は第４ネットワーク１０４と、第５送受信部１２４を第３送受信部１２２又は第４送受信部１２３と読み替えることにより説明される。
【０２００】
図２５に示すステップＳ１８１では、利用者により、第１入力部１２ａに割引等要望情報が入力される。制御部１２５は、割引等要望情報を第１入力部１２ａから受け取る。
図２５に示すステップＳ１８２では、制御装置１２０から集中管理センター１５０へ割引等要望情報が送信される。すなわち、制御装置１２０の第１送受信部１２１は、割引等要望情報を制御部１２５から受け取り、第１ネットワーク１０１経由で集中管理センター１５０へ送信する。集中管理センター１５０の第２送受信部１５１は、割引等要望情報を第１ネットワーク１０１経由で制御装置１２０から受信する。
【０２０１】
図２５に示すステップＳ１８３では、集中管理センター１５０から第３通知装置１８０へ割引等要望情報が送信される。すなわち、集中管理センター１５０の第８送受信部１５４は、割引等要望情報を制御部１５５から受け取り、第７ネットワーク１０７経由で第３通知装置１８０へ送信する。第３通知装置１８０は、割引等要望情報を第７ネットワーク１０７経由で集中管理センター１５０から受信する。
【０２０２】
図２５に示すステップＳ１８４では、割引券等出力情報が生成される。すなわち、図１７に示す第３通知装置１８０は、割引等要望情報に基づいて割引券等出力情報を生成する。ここで、割引券等出力情報とは、割引券又は優待券を出力するための情報である。
図２５に示すステップＳ１８５では、割引券等出力情報が送信される。すなわち、図１７に示す第３通知装置１８０は、ステップＳ１８４で生成された割引券等出力情報を第６ネットワーク１０６経由で制御装置１２０へ送信する。このとき、割引券等出力情報は、電子メールにより制御装置１２０へ送信されるが、その他の任意の形式により送信されてもよい。図１８に示す制御装置１２０の第５送受信部１２４は、割引券等出力情報を第６ネットワーク１０６経由で第３通知装置１８０から受信する。
【０２０３】
図２５に示すステップＳ１８６では、割引券等出力装置１９０から割引券又は優待券が出力される。すなわち、図１８に示す制御装置１２０の制御部１２５は、割引券等出力情報を第５送受信部１２４から受け取り、割引券等出力装置１９０へ渡す。割引券等出力装置１９０は、割引券等出力情報に基づいて、割引券又は優待券を出力する。
この場合、制御装置１２０は、図２４に示すステップＳ１７５において、ステップＳ１８６で出力された割引券又は優待券の情報を契約要望情報とともに第１ネットワーク１０１経由で集中管理センター１５０へ送信する。この場合、割引券又は優待券の情報は、図２４に示すステップＳ１７７，Ｓ１７８において第３提供者まで通知される。そして、図２４に示すステップＳ１７９において利用者にオンライン請求書が送信される際に、割引券又は優待券の情報に基づいて割引等がなされる。
【０２０４】
（Ｇ）第２実施形態の変形例（Ｆ）において、第３通知装置１８０は、割引券等出力情報を第７ネットワーク１０７経由で集中管理センター１５０へ送信してもよい。
この場合、集中管理センター１５０の第８送受信部１５４は、割引券等出力情報を第７ネットワーク１０７経由で第３通知装置１８０から受信する。制御部１５５は、割引券等出力情報を第８送受信部１５４から受け取り、第２送受信部１５１へ渡す。第２送受信部１５１は、割引券等出力情報を第１ネットワーク１０１経由で制御装置１２０へ送信する。制御装置１２０の第１送受信部１２１は、割引券等出力情報を第１ネットワーク１０１経由で集中管理センター１５０から受信する。制御部１２５は、割引券等出力情報を第１送受信部１２１から受け取り、割引券等出力装置１９０へ渡す。割引券等出力装置１９０は、割引券等出力情報に基づいて、割引券又は優待券を出力する。
したがって、割引券等出力情報が集中管理センター１５０を経由して利用者まで送信されるため、第３提供者が送信先を管理する負担が低減される。
【０２０５】
（Ｈ）第１ネットワーク１０１，第２ネットワーク１０２，第３ネットワーク１０３，第４ネットワーク１０４，第５ネットワーク１０５，第６ネットワーク１０６及び第７ネットワーク１０７は、それぞれ、有線回線であってもよいし、無線回線であってもよい。
【０２０６】
（Ｉ）第５記憶部１２９に記憶された浴室構成情報１２９ａは、温泉成分源３３ａ，３４ａ，３５ａを識別するための情報、温泉成分源３３ａ，３４ａ，３５ａの種類を示す情報及び温泉成分源３３ａ，３４ａ，３５ａの組成を示す情報の少なくとも１つを含んでいてもよい。
この場合、図２１に示すステップＳ１３２において、浴室構成情報１２９ａに基づいて、可能温泉識別情報が容易に生成される。
【産業上の利用可能性】
【０２０７】
本発明は、温泉をリアルに体験することができるという効果を有し、温泉システム、温泉提供方法及び温泉提供プログラム等として有用である。
【図面の簡単な説明】
【０２０８】
【図１】本発明の第１実施形態による温泉システムの構成図。
【図２】本発明の第１実施形態による制御装置の構成図。
【図３】本発明の第１実施形態による配合装置の構成図。
【図４】本発明の第１実施形態による給湯機の構成図。
【図５】温泉システムが温泉成分を含む湯を浴槽に提供する処理の流れを示すフローチャート。
【図６】温泉システムが温泉成分を含む湯を浴槽に提供する処理の流れを示すフローチャート。
【図７】温泉システムが温泉の景色を表示する処理の流れを示すフローチャート。
【図８】温泉システムが温泉の音声を出力する処理の流れを示すフローチャート。
【図９】温泉システム１が浴室１０の環境を制御する処理の流れを示すフローチャート。
【図１０】第１温泉情報の構成を示す概念図。
【図１１】第２温泉情報の構成を示す概念図。
【図１２】第３温泉情報の構成を示す概念図。
【図１３】浴室の様子を示す概念図。
【図１４】温泉システムが温泉の景色を表示する処理の流れを示すフローチャート。
【図１５】第１対応付け情報の構成を示す概念図。
【図１６】温泉システムが温泉以外の景色を表示する処理の流れを示すフローチャート。
【図１７】本発明の第２実施形態による温泉システムの構成図。
【図１８】本発明の第２実施形態による制御装置の構成図。
【図１９】本発明の第２実施形態による集中管理センターの構成図。
【図２０】本発明の第２実施形態による配合装置の構成図。
【図２１】温泉システムが温泉成分を含む湯を浴槽に提供する処理の流れを示すフローチャート。
【図２２】利用者がカートリッジを購入する際の処理の流れを示すフローチャート。
【図２３】利用者がお土産等を購入する際の処理の流れを示すフローチャート。
【図２４】利用者が温泉の付近への旅行計画について契約する際の処理の流れを示すフローチャート。
【図２５】温泉システムが割引券又は優待券を出力する処理の流れを示すフローチャート。
【符号の説明】
【０２０９】
１，１００  温泉システム
１０  浴室
１１  浴槽
１２  リモコン
１３  表示装置
１４  音声出力装置
１５  除湿器
１６  加湿器
１７  換気装置
１８  照明装置
２０，１２０  制御装置
３０，１３０  配合装置
４０  給湯機
９０  配管群
１０１  第１ネットワーク
１０２  第２ネットワーク
１０３  第３ネットワーク
１０４  第４ネットワーク
１０５  第５ネットワーク
１０６  第６ネットワーク
１０７  第７ネットワーク
１５０  集中管理センター
１６０  第１通知装置
１７０  第２通知装置
１８０  第３通知装置
１９０  割引券等出力装置
【図１】
2007229295.tif 000003
【図２】
2007229295.tif 000004
【図３】
2007229295.tif 000005
【図４】
2007229295.tif 000006
【図５】
2007229295.tif 000007
【図６】
2007229295.tif 000008
【図７】
2007229295.tif 000009
【図８】
2007229295.tif 000010
【図９】
2007229295.tif 000011
【図１０】
2007229295.tif 000012
【図１１】
2007229295.tif 000013
【図１２】
2007229295.tif 000014
【図１３】
2007229295.tif 000015
【図１４】
2007229295.tif 000016
【図１５】
2007229295.tif 000017
【図１６】
2007229295.tif 000018
【図１７】
2007229295.tif 000019
【図１８】
2007229295.tif 000020
【図１９】
2007229295.tif 000021
【図２０】
2007229295.tif 000022
【図２１】
2007229295.tif 000023
【図２２】
2007229295.tif 000024
【図２３】
2007229295.tif 000025
【図２４】
2007229295.tif 000026
【図２５】
2007229295.tif 000027